(57)【要約】【課題】メンテナンス性を向上させた遊技機を提供する。【解決手段】所定の画像を表示画面２５２に表示可能な画像表示装置２５１と、画像表示装置２５１を保持する表示装置保持部２６１とから構成された画像表示ユニット２５０において、表示装置保持部２６１は、前扉における第２フレーム１５１の上側視認部（および、第１フレーム１０１の上部の開口部分）の後側で、表示画面２５２が前方を向くように画像表示装置２５１を保持する保持位置と、当該保持位置から後方に揺動した揺動位置とに揺動可能に構成されている。【選択図】図１９
2018130306.tif 000002
【特許請求の範囲】
【請求項１】
前方に開口部を有する本体部材と、
前記本体部材に対して前記開口部を開閉可能に取り付けられる開閉部材と、
前記開閉部材の後側に配設されて所定の画像を画面に表示可能な画像表示装置とを備え、
前記開閉部材は、前記開閉部材の後側に配設された前記画像表示装置の前記画面を前方から視認可能な視認部と、
前記開閉部材の後側に取り付けられ、前記画像表示装置を前記視認部の後側で前記画面が前方を向くように保持する表示装置保持部とを有し、
前記表示装置保持部は、前記画像表示装置を前記視認部の後側で前記画面が前方を向くように保持する保持位置と、前記保持位置から後方に揺動した揺動位置とに揺動可能であることを特徴とする遊技機。
【請求項２】
前記開閉部材は、
遊技を行うための操作が行われる操作部が設けられ、前記本体部材に対して前記開口部を開閉可能に取り付けられる第１フレームと、
装飾部が設けられ、前記第１フレームの前側に取り付けられて前記第１フレームの前側を覆う第２フレームとを有し、
前記第２フレームが前記第１フレームの前側を覆う状態で、前記第１フレームに設けられた前記操作部が前側に露出して前記操作部の操作を行うことが可能であり、
前記第２フレームを前記第１フレームに対して着脱させることが可能であり、
前記視認部は、前記第１フレームと前記第２フレームとに跨って設けられ、
前記表示装置保持部は、前記第１フレームの後側に取り付けられることを特徴とする請求項１に記載の遊技機。
【発明の詳細な説明】
【技術分野】
【０００１】
本発明は、スロットマシン等の遊技機に関する。
【背景技術】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の本体筐体（本体部材）と、本体筐体の前面開口部を開閉可能な前扉（開閉部材）とを備えて構成されている（例えば、特許文献１を参照）。また、前扉には、電飾装置やスピーカー等の演出装置と、所定の演出画像を表示可能な画像表示装置と、演出装置および画像表示装置等の制御を行う副制御装置とが取り付けられている。
【先行技術文献】
【特許文献】
【０００３】
【特許文献１】特開２０１１−２００４９９号公報
【発明の概要】
【発明が解決しようとする課題】
【０００４】
従来の遊技機では、画像表示装置の画面や画像表示装置の前方に配置された部品のメンテナンス（洗浄等）を行う際、画像表示装置を前扉から一時的に取り外す必要があるため、手間が掛かっていた。
【０００５】
本発明は、このような課題に鑑みてなされたものであり、メンテナンス性を向上させた遊技機を提供することを目的とする。
【課題を解決するための手段】
【０００６】
このような目的達成のため、本発明に係る遊技機（例えば、実施形態におけるスロットマシン１）は、前方に開口部を有する本体部材（例えば、実施形態における筐体５）と、前記本体部材に対して前記開口部を開閉可能に取り付けられる開閉部材（例えば、実施形態における前扉２）と、前記開閉部材の後側に配設されて所定の画像を画面に表示可能な画像表示装置とを備え、前記開閉部材は、前記開閉部材の後側に配設された前記画像表示装置の前記画面を前方から視認可能な視認部と、前記開閉部材の後側に取り付けられ、前記画像表示装置を前記視認部の後側で前記画面が前方を向くように保持する表示装置保持部とを有し、前記表示装置保持部は、前記画像表示装置を前記視認部の後側で前記画面が前方を向くように保持する保持位置と、前記保持位置から後方に揺動した揺動位置とに揺動可能である。
【発明の効果】
【０００７】
本発明によれば、遊技機のメンテナンス性を向上させることができる。
【図面の簡単な説明】
【０００８】
【図１】スロットマシンの正面図である。
【図２】スロットマシンの前扉を後方から見た図である。
【図３】スロットマシンの内部構造を示す正面図である。
【図４】前扉の第１フレームから第２フレームを取り外した状態を示す斜視図である。
【図５】前扉の分解斜視図である。
【図６】第１フレームの斜視図である。
【図７】第１フレームの背面図である。
【図８】ストップスイッチユニットの斜視図である。
【図９】スロットマシンにおけるメダル払出装置の近傍を示す側断面図である。
【図１０】第２フレームの背面図である。
【図１１】ストップスイッチカバーの正面図である。
【図１２】ストップスイッチカバーを後方から見た斜視図である。
【図１３】前扉の下側部分の側断面図である。
【図１４】画像表示ユニットの分解斜視図である。
【図１５】（ａ）は画像表示ユニットの第２保持部材の正面図であり、（ｂ）は第２保持部材の背面図である。
【図１６】揺動支持部材の斜視図である。
【図１７】前扉の上部後側から画像表示ユニットが取り外された状態を示す斜視図である。
【図１８】前扉の上部後側に画像表示ユニットが取り付けられる途中の状態を示す斜視図である。
【図１９】前扉の上部後側に画像表示ユニットが取り付けられた状態を示す斜視図である。
【図２０】前扉の下側部分の側断面図である。
【図２１】回転部材が合体した状態の演出装置を示す斜視図である。
【図２２】演出装置の分解斜視図である。
【図２３】回転部材が分離した状態の演出装置を下方から見た斜視図である。
【図２４】回転部材が分離した状態の演出装置を上方から見た斜視図である。
【図２５】回転部材が合体した状態の演出装置の側断面図である。
【図２６】回転部材が合体した状態の演出装置の平断面図である。
【図２７】回転部材が分離・合体する状態を示す正面図である。
【図２８】回転部材が分離・合体する状態を示す背面図である。
【図２９】回転部材が合体する途中の状態を示す正面図である。
【図３０】回転部材が合体する途中の状態を示す背面図である。
【図３１】中継基板ケースユニットの斜視図である。
【図３２】中継基板ケースユニットの分解斜視図である。
【図３３】（ａ）は結合部材を一端側から見た斜視図であり、（ｂ）は結合部材を側方から見た斜視図であり、（ｃ）は結合部材を他端側から見た斜視図である。
【図３４】中継基板ケースユニットが前扉の後面側に取り付けられる途中の第１の状態を示す斜視図である。
【図３５】中継基板ケースユニットが前扉の後面側に取り付けられる途中の第２の状態を示す斜視図である。
【図３６】中継基板ケースユニットが前扉の後面側に取り付けられる途中の第３の状態を示す斜視図である。
【図３７】中継基板ケースユニットが前扉の後面側に取り付けられる途中の第４の状態を示す斜視図である。
【図３８】中継基板ケースユニットが前扉の後面側に取り付けられた状態を示す斜視図である。
【図３９】中継基板ケースユニットが前扉の後面側に取り付けられる途中の第２の状態を示す側断面図である。
【図４０】中継基板ケースユニットが前扉の後面側に取り付けられた状態を示す側断面図である。
【図４１】メダル投入ユニットの正面図である。
【図４２】メダル投入ユニットの背面図である。
【図４３】メダル投入ユニットの分解斜視図である。
【図４４】メダル投入ユニットの側断面図である。
【図４５】変形例に係る画像表示ユニットの近傍を示す分解斜視図である。
【図４６】変形例に係る画像表示ユニットの近傍を示す分解側面図である。
【発明を実施するための形態】
【０００９】
以下、本発明の実施形態について図面を参照して説明する。まず、本発明に係る遊技機の一例であるスロットマシンの基本的な構成について、図１〜図３を参照して説明する。なお、以下の説明では、図４において各矢印で示す方向をそれぞれ、上下方向、前後方向、左右方向として説明する。
【００１０】
＜スロットマシンの外部構成＞
本実施形態に係るスロットマシン１は、図１〜図３に示すように、前面（前方）が開口した箱状の筐体５と、筐体５の前面開口部に開閉可能に取り付けられた前扉２とを備えている。前扉２は、正面視において、筐体５の左側板５ａの前部に配設されたヒンジ機構６ａ〜６ｃを用いて筐体５の前面開口部に対し横開き開閉可能に取り付けられている。
【００１１】
前扉２の上部には、その裏面側に配設された画像表示装置２５１の表示画面２５２が前方を臨むように配置されている。前扉２の上部前面側における表示画面２５２の上側周辺部には、第１演出ランプ１２と、左右の第２演出ランプ１３ａ，１３ｂが設けられている。前扉２の上部前面側における表示画面２５２の下側周辺部には、左右の上部スピーカー１５ａ，１５ｂと、所定の装飾が施された装飾部材１６が設けられている。
【００１２】
前扉２の中間部には、筐体５内に横並びに配設された３個のリール３ａ，３ｂ，３ｃの表面が臨むリール窓Ｗが設けられている。前扉２の中間部におけるリール窓Ｗの下方には、操作パネル２１が設けられている。操作パネル２１の上面側には、遊技メダル（遊技媒体）を投入するためのメダル投入部材６３０と、クレジットされた範囲内で遊技メダルをベットするためのＢＥＴスイッチユニット２３と、演出に関する操作を行うための演出スイッチユニット２４が設けられている。操作パネル２１の前面側には、全リール３ａ〜３ｃを回転開始させる際に操作されるスタートレバー（スタートスイッチ）２５と、各リール３ａ，３ｂ，３ｃの回転を個別に停止させるための３個のストップスイッチ２０１ａ，２０１ｂ，２０１ｃ（図中左側のストップスイッチ２０１ａは左リール３ａに対応し、中央のストップスイッチ２０１ｂは中リール３ｂに対応し、右側のストップスイッチ２０１ｃは右リール３ｃに対応する）と、メダル投入部材６３０のメダル投入口６３１から投入されて滞留した遊技メダルを返却するためのリジェクトスイッチ２７が設けられている。また、前扉２の中間部における操作パネル２１の右方には、前扉２を開閉させるためのシリンダー錠２８が設けられている。
【００１３】
メダル投入口６３１から延びるメダル通路は、投入された遊技メダルが有効に受け入れられる場合に当該遊技メダルが通過する受入通路（後述のホッパー５１に通ずる）と、投入された遊技メダルが受け入れられない場合に当該遊技メダルが通過する返却通路（後述の遊技メダル払出口４１に通ずる）とに分岐しており、その分岐部にはメダルセレクタ６５０（図２を参照）が設けられている。メダルセレクタ６５０は、投入された遊技メダルが有効に受け入れられる期間においては、メダル投入口６３１に投入された遊技メダルを受入通路に導き、それ以外の期間においては、メダル投入口６３１に投入された遊技メダルを返却通路に導くように、受入通路と返却通路を選択的に、一方を開状態に他方を閉状態にできるように構成されている。
【００１４】
メダルセレクタ６５０は、図２に示すように、前扉２の後面側に配置される。前扉２の後面側におけるメダルセレクタ６５０の下部左側には、受入通路を構成するメダルガイド部材６８０が設けられている。前扉２の後面側におけるメダルセレクタ６５０の下側には、返却通路を構成する返却通路部材６９０が設けられている。なお、前扉２の後面側には
、メダルセレクタ６５０の他、後述の副制御装置８０と、中継基板ケースユニット５００および配線カバー５９０が設けられている。
【００１５】
リール窓Ｗは、図１に示すように、３個のリール３ａ〜３ｃが全て停止した際に、リール毎に３個の図柄、合計９個の図柄が遊技者から視認可能に表示されるように構成されている。リール３ａ〜３ｃの各中段の図柄表示領域を水平（横一直線）に結ぶ入賞ライン２９は、規定数の遊技メダルがベットされることにより有効化される入賞ラインであり、有効化された入賞ライン２９上に停止表示された図柄組合せにより遊技役の成立の有無が判定されるように構成されている。以下、有効化された入賞ライン２９のことを、適宜「有効ライン２９」と称する。
【００１６】
また、スロットマシン１には、ＬＥＤランプ等により構成される各種の表示用ランプが設けられている。本実施形態では、表示用ランプとして、ＭＡＸ‐ＢＥＴスイッチ表示ランプ（図示せず）、ＢＥＴ数表示ランプ４６ｂ、投入可能表示（ＩＮＳＥＲＴ）ランプ４６ｃ、遊技開始表示（ＳＴＡＲＴ）ランプ４６ｄ、再遊技表示（ＲＥＰＬＡＹ）ランプ４６ｅ、状態表示（ＧＡＭＥ  ＯＶＥＲ）ランプ４６ｆ、貯留枚数表示（ＣＲＥＤＩＴ）ランプ４６ｈ、および払出数表示（ＰＡＹＯＵＴ）ランプ４６ｊを備えている。これらの表示用ランプは、後述の主制御装置７０により制御されるように構成されている。
【００１７】
ＭＡＸ‐ＢＥＴスイッチ表示ランプ（図示せず）は、遊技メダルをベットすることができる状況下で点灯されるものであり、ＢＥＴスイッチユニット２３に設けられたＭＡＸ‐ＢＥＴスイッチ（図示せず）の内部に配置され、点灯時にはＭＡＸ‐ＢＥＴスイッチを部分的または全体的に光らせるようになっている。その他の表示用ランプは、リール窓Ｗの側部または下部に配置されている。
【００１８】
ＢＥＴ数表示ランプ４６ｂは、ベットされた遊技メダルの枚数を表示するもので、ベットされた遊技メダルが、１枚の場合に点灯される１‐ＢＥＴ表示ランプ４６ｂＣと、２枚の場合に点灯される２‐ＢＥＴ表示ランプ４６ｂＢと、３枚の場合に点灯される３‐ＢＥＴ表示ランプ４６ｂＡとから構成されている。投入可能表示ランプ４６ｃは、遊技メダルを投入することができる状況下で点灯されるものであり、遊技開始表示ランプ４６ｄは、スタートレバー２５を操作して遊技を開始させることができる状況下で点灯されるものである。再遊技表示ランプ４６ｅは、任意の遊技において再遊技役（遊技メダルの払出しはないが、遊技者が保有する遊技メダルの数を減らすことなく（新たに遊技媒体を投入することなく）次の遊技を行うことが許可される遊技役）が成立し、自動ベット処理（遊技者が保有する遊技メダルの数を減らすことなく、前回の遊技におけるベット数と同数の遊技メダルがベットされた状態を設定する処理）により遊技メダルが自動的にベットされた際に点灯されるものである。
【００１９】
状態表示ランプ４６ｆは、ベットされている遊技メダル、および／または貯留されている遊技メダルを精算するときに点灯される。貯留枚数表示ランプ４６ｈは、貯留（クレジット）された遊技メダルの枚数を７セグメント表示するものであり、払出数表示ランプ４６ｊは、小役（成立時に所定枚数の遊技メダルが払い出されるように構成された遊技役）が成立した際に払い出される遊技メダルの枚数を７セグメント表示するものである。
【００２０】
また、払出数表示ランプ４６ｊは、スロットマシン１に何らかの異常（エラー）が発生した際に、そのエラーの種類を示す文字（アルファベット）や数字を表示するようにも構成されている。さらに、払出数表示ランプ４６ｊは、各ストップスイッチ２０１ａ〜２０１ｃの操作順（押し順）を示すナビ番号（記号や数字）を表示する機能も有している。
【００２１】
前扉２の下部前面側には、透明な下パネルカバー３１が取り付けられている。下パネル
カバー３１の裏面側には、所定の図柄が設けられた半透明の下パネルベースおよび下パネル照明灯（いずれも図示せず）が取り付けられており、この下パネル照明灯を点灯させることにより、下パネルベースの図柄を後面側から照明するように構成されている。前扉２の下部前面側における下パネルカバー３１の左右には、左右の下部スピーカー３２ａ，３２ｂが設けられている。
【００２２】
前扉２の下端部には、受け皿アッセンブリ４０が設けられている。受け皿アッセンブリ４０には、遊技メダルを払い出すための遊技メダル払出口４１が開設されているとともに、遊技メダル払出口４１に臨むようにして遊技メダルを貯留するための遊技メダル貯留皿４２が設けられている。なお、遊技メダル貯留皿４２には、灰皿（図示せず）が設けられるようにしてもよい。
【００２３】
＜スロットマシンの内部構成＞
図３に示すように、筐体５内の下部（底板５ｄ上）には、遊技の結果、所定の入賞態様が構成された場合に獲得される遊技メダルを払い出すメダル払出装置５０が設けられている。メダル払出装置５０は、遊技メダルを検出するためのメダル検出部（図示せず）と、投入されて有効に受け入れられた遊技メダルを物理的に収容する（貯留する）ホッパー５１とを有している。メダル払出装置５０の近傍位置には、ホッパー５１から溢れた遊技メダルを収納するための補助収納庫５３が設けられるとともに、この補助収納庫５３が満杯状態（補助収納庫５３から遊技メダルが溢れる可能性のある状態）であるか否かを検出する満杯検出部（図示せず）が設けられている。また、メダル払出装置５０の左方位置には、スロットマシン１に搭載された種々の装置に電力を供給する電源装置５５が設けられている。
【００２４】
筐体５内の中央部には、左右の側板５ａ，５ｂに架け渡されるように中板５ｆが設けられており、この中板５ｆ上にリールユニット６０が設けられている。リールユニット６０は、上述の３個のリール３ａ，３ｂ，３ｃと、これらのリール３ａ〜３ｃをそれぞれ回転させる３個のステッピングモータ（図示せず）とを有して構成されている。リール３ａ〜３ｃはそれぞれ、透光性を有する部材により構成されており、その外周面には、複数種類の図柄が表示された、透光性を有するリールテープが貼り付けられている。また、リール３ａ〜３ｃの内面側にはそれぞれバックランプ（図示せず）が配設されており、これらのバックランプを点灯させることにより、リール窓Ｗ内に臨む各リール３ａ，３ｂ，３ｃの領域を内面側から全体的に照明したり、停止表示された所定の図柄組合せ（例えば、有効ライン２９上や、有効ライン２９上とは異なる入賞ライン上に並んだ遊技役の対応図柄等）を目立たせるように各リール３ａ，３ｂ，３ｃの一部領域のみを照明したりするように構成されている。
【００２５】
筐体５内の上部（背板５ｅの上部内面）には、遊技の進行に係る主たる制御（リール３ａ〜３ｃの駆動制御や役決定処理等を含む）を行う主制御装置７０が設けられている。なお、遊技状況に応じて遊技の興趣向上等を目的とする種々の演出制御（画像表示装置２５１による演出画像表示制御や、上部スピーカー１５ａ，１５ｂ等のスピーカーによる音声発生制御等）を行う副制御装置８０は前扉２の後面側に設けられている。主制御装置７０と副制御装置８０はケーブルハーネスを用いて電気通信可能に接続されており、これら装置間の情報伝達は、主制御装置７０から副制御装置８０への一方向のみ行うことが可能となっている。
【００２６】
＜遊技を行うための基本操作＞
スロットマシン１で遊技を行うには、まず実際にメダル投入口６３１に遊技メダルを投入することによりベットするか、ＢＥＴスイッチユニット２３に設けられた１‐ＢＥＴスイッチまたはＭＡＸ‐ＢＥＴスイッチ（図示せず）の何れかを操作してクレジットの範囲
内で規定数の遊技メダルをベットすることにより、複数の入賞ラインのうち入賞ライン２９を有効化する。本実施形態では、３枚の遊技メダルがベットされると入賞ライン２９が有効化される構成であるが、規定数を適宜変更したり、遊技メダルのベット数に応じて有効化される入賞ラインを変更するようにしてもよい。
【００２７】
次に、遊技者がスタートレバー２５を操作すると、ベット数が確定する（ベットされた遊技メダルが遊技の用に供される）とともに、役決定処理が行われ、その後、最小遊技時間（１つの遊技において全リールが回転開始してから、次の遊技において全リールを回転開始させるまでに最低限確保しなければならないとされる時間（例えば、４.１秒間）の
こと）が経過したことを確認した後、各リール３ａ〜３ｃが回転を開始し、リール３ａ〜３ｃの外周表面に表示された複数種類の図柄がリール窓Ｗ内を上下に（通常、上から下に）移動表示される。そして、リール３ａ〜３ｃの回転が所定の速度に達して定速回転となり、かつ、全てのリールのインデックスを検知すると各ストップスイッチ２０１ａ〜２０１ｃが有効化され（ストップスイッチの操作が有効に受付け可能とされ）、遊技者が左側のストップスイッチ２０１ａを操作すると左リール３ａの回転が停止し、中央のストップスイッチ２０１ｂを操作すると中リール３ｂの回転が停止し、右側のストップスイッチ２０１ｃを操作すると右リール３ｃの回転が停止するように構成されている。
【００２８】
ここで、有効ライン２９上に停止表示された図柄組合せが予め定めた入賞態様（遊技メダルを獲得することができる遊技役の対応図柄）となっている場合には、各入賞態様に対応した枚数の遊技メダルがメダル払出装置５０により払い出されるか、またはクレジットとして加算される。
【００２９】
＜前扉の構成＞
次に、本実施形態に係る前扉２の構成について図４〜図１３を参照して説明する。前扉２は、図４および図５に示すように、第１フレーム１０１と、第１フレーム１０１の前側を覆う第２フレーム１５１とから構成される。第１フレーム１０１は、図６および図７に示すように、樹脂材料と金属板材を用いて、筐体５の前面開口部の形状に合わせた枠状に形成される。第１フレーム１０１は、前述のヒンジ機構６ａ〜６ｃを用いて、筐体５の前面開口部に対し横開き開閉可能に取り付けられる。第１フレーム１０１は、操作パネル２１よりも上側に形成される第１上側フレーム部１１１と、操作パネル２１から下側に形成される第１下側フレーム部１１６とを有している。
【００３０】
図５に示すように、第１上側フレーム部１１１の左上部後側に、画像表示装置２５１を備えた画像表示ユニット２５０を揺動自在に支持する揺動支持ユニット１２１が結合される。第１上側フレーム部１１１の右上部後側に、画像表示ユニット２５０を固定保持するための固定保持部材１３１が結合される。画像表示ユニット２５０は、揺動支持ユニット１２１および固定保持部材１３１により第１上側フレーム部１１１（第１フレーム１０１）の上部後側に取り付けられる。図４に示すように、第１フレーム１０１から第２フレーム１５１が取り外された状態でも、第１上側フレーム部１１１の開口部分を通じて、画像表示装置２５１の表示画面２５２を前方から視認できるようになっている。
【００３１】
図５に示すように、第１上側フレーム部１１１（第１フレーム１０１）の上部における左右側部に、上側係止爪部１１２が形成される。上側係止爪部１１２は、第１フレーム１０１の前側に第２フレーム１５１が装着されると、第２フレーム１５１の左右の内側上部に形成された上側係止溝部（図示せず）に係止し、第１フレーム１０１に対して第２フレーム１５１が着脱可能に固定される。なお、図示省略するが、第１フレーム１０１の縁部の複数箇所に、第１フレーム１０１の前側に第２フレーム１５１を取り付け固定するためのフレーム固定ネジ（図示せず）が挿通されるネジ挿通穴が形成されている。
【００３２】
第１フレーム１０１の中間部に位置する第１上側フレーム部１１１の下側に、前述のリール窓Ｗを備えた中パネル部材１４０が後方から取り付けられる。中パネル部材１４０は、第１上側フレーム部１１１の開口部分の下側を後方から塞ぐ板状に形成される。中パネル部材１４０には、リール窓Ｗと、ＢＥＴ数表示ランプ４６ｂ、投入可能表示ランプ４６ｃ、遊技開始表示ランプ４６ｄ、再遊技表示ランプ４６ｅ、状態表示ランプ４６ｆ、貯留枚数表示ランプ４６ｈ、および払出数表示ランプ４６ｊ等が設けられる（図５においては詳細な図示を省略する）。
【００３３】
第１下側フレーム部１１６の上側に、操作パネル２１が前方から取り付けられる。操作パネル２１は、図５および図６に示すように、第１下側フレーム部１１６の上側を前方から覆うステージ状に形成される。操作パネル２１の上面側には、メダル投入部材６３０と、ＢＥＴスイッチユニット２３と、演出スイッチユニット２４が取り付けられる。操作パネル部材１４５の前面側には、スタートレバー２５と、ストップスイッチユニット２００と、リジェクトスイッチ２７が取り付けられる。なお、操作パネル２１の上端部は、中パネル部材１４０の下端部の前面側に重なるように配置される。
【００３４】
ストップスイッチユニット２００は、図８に示すように、前述した３個のストップスイッチ２０１ａ，２０１ｂ，２０１ｃと、３個のストップスイッチ２０１ａ，２０１ｂ，２０１ｃを保持するスイッチ保持部２０２とを有して構成される。スイッチ保持部２０２の前面側の左右２箇所に、後述のストップスイッチカバー１９０（図５および図１２を参照）のガイドピン部１９３が挿入可能なガイド穴部２０３が形成される。また、スイッチ保持部２０２の前面側の左右２箇所（ガイド穴部２０３の近傍）に、ストップスイッチカバー１９０の係合ピン部１９４が係合可能な係合穴部２０４が形成される。
【００３５】
第１下側フレーム部１１６の下側に、板状の下パネル部材１４５が取り付けられる。下パネル部材１４５の前面側に、左右の下部スピーカー３２ａ，３２ｂが取り付けられる。下パネル部材１４５の後面側に、返却通路部材６９０および中継基板ケースユニット５００が取り付けられる。第１下側フレーム部１１６（第１フレーム１０１）の下端部に、受け皿アッセンブリ４０が設けられる。
【００３６】
第１下側フレーム部１１６（第１フレーム１０１）の下部における左右側部に、下側係止爪部１１７が形成される。下側係止爪部１１７は、第１フレーム１０１の前側に第２フレーム１５１が装着されると、第２フレーム１５１の左右の内側下部に形成された下側係止溝部（図示せず）に係止し、第１フレーム１０１に対して第２フレーム１５１が着脱可能に固定される。
【００３７】
図９に示すように、下パネル部材１４５の後面側において返却通路部材６９０が取り付けられる部分に、メダル当接部１１８が設けられる。なお、返却通路部材６９０の下部後側には、メダル払出装置５０に設けられた遊技メダルの射出口５２と位置整合するようにメダル通過口６９１が形成されている。メダル当接部１１８は、下パネル部材１４５と返却通路部材６９０との間に形成される返却通路内においてメダル通過口６９１と対向するように配置され、鉛直面に対して僅かに下方に傾斜した傾斜面を有している。
【００３８】
メダル払出装置５０の射出口５２から略水平方向に射出された遊技メダルは、図９の二点鎖線で概略的に示すように、返却通路部材６９０のメダル通過口６９１を通過してメダル当接部１１８に当接し、メダル当接部１１８において斜め下方に弾き返されるようになっている。メダル当接部１１８において斜め下方に弾き返された遊技メダルは、返却通路を通過して受け皿アッセンブリ４０の遊技メダル払出口４１から払い出され、遊技メダル貯留皿４２に貯留される。これにより、メダル払出装置５０から射出された遊技メダルが、メダル当接部で正反対方向に弾き返されて、メダル払出装置５０から次に射出される遊
技メダルと衝突することを防止することができるため、メダル払出装置５０により円滑に遊技メダルを連続的に払い出すことができる。また、メダル当接部で正反対方向に弾き返された遊技メダルが、メダル払出装置５０の射出口５２まで戻ってしまい、メダル払出装置５０において遊技メダルの詰まりや誤検出等のエラーが生じることを防止することができる。
【００３９】
第２フレーム１５１は、図５および図１０に示すように、樹脂材料を用いて、前面側に装飾が施された扉状に形成される。第２フレーム１５１は、第１フレーム１０１の前側に着脱可能に取り付けられて、第１フレーム１０１の前側を覆うように構成される。なお、図示省略するが、第２フレーム１５１の後側縁部の複数箇所に、第１フレーム１０１のネジ挿通穴（図示せず）と位置整合したネジ固定穴が形成されている。これにより、第２フレーム１５１を第１フレーム１０１の前側に装着した状態で、フレーム固定ネジ（図示せず）を第１フレーム１０１のネジ挿通穴に挿通させて第２フレーム１５１のネジ固定穴にネジ固定することで、第２フレーム１５１が第１フレーム１０１の前側に取り付け固定される。第２フレーム１５１は、第１フレーム１０１における操作パネル２１よりも上側の部分（第１上側フレーム部１１１）を覆う第２上側フレーム部１６１と、操作パネル２１から下側の部分（第１下側フレーム部１１６）を覆う第２下側フレーム部１７１とを有している。
【００４０】
第２上側フレーム部１６１の上部に、第１フレーム１０１（第１上側フレーム部１１１）の上部後側に配設された画像表示装置２５１の表示画面２５２を前方から視認可能にする上側視認部１６２が開口形成される。上側視認部１６２の前部に、画面保護カバー１６３（図２０も参照）が取り付けられる。画面保護カバー１６３は、透明の樹脂材料を用いて板状に形成され、上側視認部１６２の開口部分を塞いで表示画面２５２の前方を覆うようになっている。第２上側フレーム部１６１の後側における上側視認部１６２の周辺部に、左右の上部スピーカー１５ａ，１５ｂと、後述の演出装置３００が取り付けられる。
【００４１】
第２上側フレーム部１６１の前面側における上側視認部１６２の上側周辺部に、第１演出ランプ１２と、左右の第２演出ランプ１３ａ，１３ｂが取り付けられる。第２上側フレーム部１６１の前面側における上側視認部１６２の下側周辺部に、左右の上部スピーカーカバー１６４ａ，１６４ｂと、装飾部材１６が取り付けられる。左右の上部スピーカーカバー１６４ａ，１６４ｂは、左右の上部スピーカー１５ａ，１５ｂの前方を覆うとともに、左右の上部スピーカー１５ａ，１５ｂから発生する音を前方に放音可能に構成される。
【００４２】
第２フレーム１５１の中間部に位置する第２上側フレーム部１６１の下部に、第１フレーム１０１に取り付けられた中パネル部材１４０のリール窓Ｗを前方に露出させる視認露出部１６６が開口形成される。なお、中パネル部材１４０に設けられたＢＥＴ数表示ランプ４６ｂ、投入可能表示ランプ４６ｃ、遊技開始表示ランプ４６ｄ、再遊技表示ランプ４６ｅ、状態表示ランプ４６ｆ、貯留枚数表示ランプ４６ｈ、および払出数表示ランプ４６ｊ等は、視認露出部１６６を介して前方から視認できるようになっている。
【００４３】
第２下側フレーム部１７１の上端部に、第１フレーム１０１に取り付けられた操作パネル２１の上面側を露出させる上面側露出部１７２が形成される。上面側露出部１７２は、操作パネル２１の上面に合わせて左右方向に延びるとともに、後側が視認露出部１６６に繋がるように開口形成される。これにより、操作パネル２１の上面側に、メダル投入部材６３０と、ＢＥＴスイッチユニット２３と、演出スイッチユニット２４が取り付けられた状態でも、第１フレーム１０１に対して第２フレーム１５１を前後方向に着脱させることができる。
【００４４】
第２下側フレーム部１７１の上部前面側に、スタートスイッチ露出部１７３と、ストッ
プスイッチ挿通部１７４と、リジェクトスイッチ露出部１７７が形成される。スタートスイッチ露出部１７３は、前後方向に貫通した穴状に形成され、操作パネル２１の前面側に取り付けられたスタートレバー２５を挿通させて前方に露出させる。リジェクトスイッチ露出部１７７は、前後方向に貫通した穴状に形成され、操作パネル２１の前面側に取り付けられたリジェクトスイッチ２７を挿通させて前方に露出させる。また、リジェクトスイッチ露出部１７７の右方には、シリンダー錠２８を挿通させて前方に露出させるシリンダー錠露出部１７８が形成される。
【００４５】
ストップスイッチ挿通部１７４は、前後方向に貫通した長穴状に形成され、操作パネル２１の前面側に取り付けられたストップスイッチユニット２００の前部が挿通されるようになっている。第２下側フレーム部１７１の上部前面側におけるストップスイッチ挿通部１７４の周辺部に、ストップスイッチカバー１９０を取り付け可能なカバー取付部１７５が形成される。カバー取付部１７５は、ストップスイッチカバー１９０を受容可能な段差状に形成される。カバー取付部１７５の左右の底部に、カバー取付部１７５に対してストップスイッチカバー１９０を固定するためのカバー固定穴部１７６が形成される。
【００４６】
ストップスイッチカバー１９０は、図１１に示すように、樹脂材料を用いて、カバー取付部１７５の外周形状に合わせた板状に形成される。ストップスイッチカバー１９０は、カバー取付部１７５に取り付けられた状態で、操作パネル２１に取り付けられたストップスイッチユニット２００の前面側を覆うようになっている。ストップスイッチカバー１９０に、３個のストップスイッチ露出穴１９１ａ，１９１ｂ，１９１ｃが左右方向に並んで形成される。左側のストップスイッチ露出穴１９１ａは、前後方向に貫通した穴状に形成され、ストップスイッチユニット２００の左側のストップスイッチ２０１ａを挿通させて前方に露出させる。中央のストップスイッチ露出穴１９１ｂは、前後方向に貫通した穴状に形成され、ストップスイッチユニット２００の中央のストップスイッチ２０１ｂを挿通させて前方に露出させる（図１３を参照）。右側のストップスイッチ露出穴１９１ｃは、前後方向に貫通した穴状に形成され、ストップスイッチユニット２００の右側のストップスイッチ２０１ｃを挿通させて前方に露出させる。
【００４７】
図１２に示すように、ストップスイッチカバー１９０の中間部後側の左右２箇所に、ストップスイッチユニット２００のガイド穴部２０３に挿入可能なガイドピン部１９３が形成される。また、ストップスイッチカバー１９０の中間部後側の左右２箇所（ガイドピン部１９３の近傍）に、ストップスイッチユニット２００の係合穴部２０４に係合可能な係合ピン部１９４が形成される。ストップスイッチカバー１９０の左右端部の後側に、カバー固定ネジ（図示せず）によりカバー取付部１７５のカバー固定穴部１７６に固定される固定ボス部１９６が形成される。なお、カバー取付部１７５の外周部は、ストップスイッチカバー１９０の外周部よりも若干大きくなるように形成される。カバー取付部１７５のカバー固定穴部１７６は、ストップスイッチカバー１９０の固定ボス部１９６よりも若干大きくなるように形成される。
【００４８】
第２下側フレーム部１７１の下部前面側に、下パネルカバー３１（並びに、下パネルベースおよび下パネル照明灯）が取り付けられる。第２下側フレーム部１７１の下部前面側における下パネルカバー３１の左右に、左右の下部スピーカーカバー１７９ａ，１７９ｂが取り付けられる。左右の下部スピーカーカバー１７９ａ，１７９ｂは、第１フレーム１０１に取り付けられた左右の下部スピーカー３２ａ，３２ｂの前方を覆うとともに、左右の下部スピーカー３２ａ，３２ｂから発生する音を前方に放音可能に構成される。
【００４９】
以上のように構成される前扉２を組み立てるには、まず、第１フレーム１０１の前側に第２フレーム１５１を前方から装着する。このとき、第１フレーム１０１の上側係止爪部１１２および下側係止爪部１１７が、第２フレーム１５１の上側係止溝部および下側係止
溝部（図示せず）に係止し、第１フレーム１０１に対して第２フレーム１５１が着脱可能に固定される。なお、第１フレーム１０１が筐体５から取り外された状態であっても、第１フレーム１０１が筐体５に取り付けられた状態であっても、第１フレーム１０１に対して第２フレーム１５１を着脱可能に装着することが可能である。
【００５０】
次に、第２フレーム１５１を第１フレーム１０１の前側に装着した状態で、フレーム固定ネジ（図示せず）を第１フレーム１０１のネジ挿通穴（図示せず）に挿通させて第２フレーム１５１のネジ固定穴（図示せず）にネジ固定する。これにより、第２フレーム１５１が第１フレーム１０１の前側に取り付け固定される。なおこのとき、操作パネル２１の前面側は第２フレーム１５１に覆われるが、操作パネル２１の前面側に取り付けられた、スタートレバー２５、ストップスイッチユニット２００、およびリジェクトスイッチ２７は、第２フレーム１５１のスタートスイッチ露出部１７３、ストップスイッチ挿通部１７４、およびリジェクトスイッチ露出部１７７に挿通されて前方に露出する。
【００５１】
次に、ストップスイッチカバー１９０を第２フレーム１５１のカバー取付部１７５に取り付けるようにして、ストップスイッチカバー１９０のガイドピン部１９３をストップスイッチユニット２００のガイド穴部２０３に挿入し、ストップスイッチカバー１９０の係合ピン部１９４をストップスイッチユニット２００の係合穴部２０４に係合させる。これにより、ストップスイッチカバー１９０は、カバー取付部１７５に取り付けられて、ストップスイッチユニット２００の前面側を覆う状態で保持される。
【００５２】
そして、カバー固定ネジ（図示せず）を第１フレーム１０１の後方から、第１フレーム１０１に形成された逃げ穴（図示せず）と、カバー取付部１７５のカバー固定穴部１７６に形成されたネジ挿通穴（図示せず）に挿通させて、ストップスイッチカバー１９０の固定ボス部１９６にネジ固定する。これにより、ストップスイッチカバー１９０の固定ボス部１９６がカバー取付部１７５のカバー固定穴部１７６に固定されて、ストップスイッチカバー１９０が第２フレーム１５１のカバー取付部１７５に取り付け固定される。なおこのとき、ストップスイッチユニット２００の前面側はストップスイッチカバー１９０に覆われるが、ストップスイッチユニット２００に設けられた３個のストップスイッチ２０１ａ，２０１ｂ，２０１ｃは、ストップスイッチカバー１９０の３個のストップスイッチ露出穴１９１ａ，１９１ｂ，１９１ｃに挿通されて前方に露出する。
【００５３】
このようにして、第２フレーム１５１が第１フレーム１０１の前側に着脱可能に取り付けられる。これにより、第１フレーム１０１の構成は同じのままで、第２フレーム１５１の外観部のデザインのみを変更することが可能になり、スロットマシン１の外観部のデザインを容易に変更することができる。従来、前扉に設けられる演出ランプ等の装飾部は、前扉を構成するアッセンブリ（例えば、上パネルアセンブリ、中パネルアセンブリ、下パネルアセンブリ等）毎に別々に取り付けられていた。本実施形態では、前扉２において第２フレーム１５１が第１フレーム１０１の前側を覆うフレーム構造を採用することで、スロットマシンの製品コンセプトに応じて、前扉の装飾部を容易に変更することができる。
【００５４】
また、第１フレーム１０１から第２フレーム１５１が取り外されて、第１フレーム１０１のみが筐体５に取り付けられた状態でも、第１フレーム１０１に設けられたスタートレバー２５や各ストップスイッチ２０１ａ〜２０１ｃ等を操作することにより、完成品の場合と同様の遊技を行うことができる。またこのとき、第１フレーム１０１に設けられた画像表示装置２５１の表示画面２５２に、完成品の場合と同様の画像を表示することができる。これにより、第２フレーム１５１が未装着の状態でスロットマシンの動作確認（デバッグ等）を行うことが可能になり、スロットマシンの製造効率を向上させることができる。従来、画像表示ユニットは、前扉を構成する上パネルアセンブリ（上部マスク）の後側に取り付けられていた。本実施形態において、画像表示ユニット２５０は、揺動支持ユニ
ット１２１および固定保持部材１３１により第１フレーム１０１の上部後側に取り付けられる。これにより、第２フレーム１５１が未装着の状態（例えば、第２フレーム１５１のデザイン開発が完了していない状態等）でも、画像表示装置２５１の表示画面２５２に、完成品の場合と同様の画像を表示することができ、スロットマシンの動作確認（デバッグ等）を先行して行うことが可能である。
【００５５】
なお、ストップスイッチカバー１９０の係合ピン部１９４とストップスイッチユニット２００の係合穴部２０４により、ストップスイッチユニット２００に対してストップスイッチカバー１９０が位置決めされる。そのため、第１フレーム１０１に対する第２フレーム１５１の組み付け誤差により、第１フレーム１０１に取り付けられたストップスイッチユニット２００と、第２フレーム１５１のカバー取付部１７５との相対位置が（設計的な相対位置より）変化しても、ストップスイッチユニット２００とストップスイッチカバー１９０との相対位置を所定の範囲内に収めることができる。これにより、ストップスイッチカバー１９０のストップスイッチ露出穴１９１ａ，１９１ｂ，１９１ｃに挿通された３個のストップスイッチ２０１ａ，２０１ｂ，２０１ｃのうち少なくともいずれかが、ストップスイッチカバー１９０に片当たりして摩耗等するのを防止することができる。
【００５６】
また、カバー取付部１７５の外周部は、ストップスイッチカバー１９０の外周部よりも若干大きくなるように形成される。カバー取付部１７５のカバー固定穴部１７６は、ストップスイッチカバー１９０の固定ボス部１９６よりも若干大きくなるように形成される。そのため、第１フレーム１０１に対する第２フレーム１５１の組み付け誤差により、ストップスイッチユニット２００に対して位置決めされるストップスイッチカバー１９０と、第２フレーム１５１のカバー取付部１７５との相対位置が（設計的な相対位置より）変化しても、ストップスイッチカバー１９０の相対位置のズレを第２フレーム１５１のカバー取付部１７５で吸収することができる。
【００５７】
＜画像表示ユニットの構成＞
次に、本実施形態に係る画像表示ユニット２５０の構成について図１４〜図２０を参照して説明する。画像表示ユニット２５０は、図５および図１４に示すように、所定の画像を表示画面２５２に表示可能な画像表示装置２５１と、画像表示装置２５１を保持する表示装置保持部２６１とから構成される。画像表示ユニット２５０は、前述したように、揺動支持ユニット１２１および固定保持部材１３１により、前扉２の第１フレーム１０１（第１上側フレーム部１１１）の上部後側に取り付けられる。
【００５８】
揺動支持ユニット１２１は、図５および図１７に示すように、支持ベース部材１２３と、上下の揺動支持部材１２５ａ，１２５ｂとから構成される。支持ベース部材１２３は、金属板材を用いて上下方向に細長く延びる板状に形成され、ネジ等の結合手段（図示せず）を用いて第１フレーム１０１（第１上側フレーム部１１１）の左上部内側に結合される。支持ベース部材１２３の上部に、上側揺動支持部材１２５ａが結合され、支持ベース部材１２３の下部に、下側揺動支持部材１２５ｂが結合される。
【００５９】
上側揺動支持部材１２５ａは、図１６および図１７に示すように、樹脂材料を用いてブロック状に形成され、ネジ等の結合手段（図示せず）を用いて支持ベース部材１２３の上部に結合される。下側揺動支持部材１２５ｂは、上側揺動支持部材１２５ａと同様に形成され、ネジ等の結合手段（図示せず）を用いて支持ベース部材１２３の下部に結合される。上下の揺動支持部材１２５ａ，１２５ｂは、前扉２における第２フレーム１５１の上側視認部１６２（および、第１フレーム１０１の上部の開口部分）の後側で、表示画面２５２が前方を向くように画像表示装置２５１を保持する保持位置（図２０を参照）と、当該保持位置から後方に揺動した揺動位置（図１９を参照）との間で、表示装置保持部２６１を揺動自在に支持する。
【００６０】
上側揺動支持部材１２５ａの下部に、上方を向いて開口した有底穴状の支持穴部１２６ａが形成される。上側揺動支持部材１２５ａの支持穴部１２６ａは、表示装置保持部２６１の上側揺動軸部２７８ａと回転自在に係合し、表示装置保持部２６１を揺動自在に支持する。上側揺動支持部材１２５ａの上部右側に、後方に突出した突起状の着脱規制部１２７ａが形成される。上側揺動支持部材１２５ａの着脱規制部１２７ａは、表示装置保持部２６１が前述の揺動位置と同じ揺動角度で上側揺動支持部材１２５ａに対して着脱される場合にのみ、表示装置保持部２６１の上側揺動軸部２７８ａおよび上側揺動アーム部２７６ａを通過させるようになっている。
【００６１】
下側揺動支持部材１２５ｂにも、上側揺動支持部材１２５ａと同様に、支持穴部１２６ｂと、着脱規制部１２７ｂが形成される。下側揺動支持部材１２５ｂの支持穴部１２６ｂは、表示装置保持部２６１の下側揺動軸部２７８ｂと回転自在に係合し、表示装置保持部２６１を揺動自在に支持する。下側揺動支持部材１２５ｂの着脱規制部１２７ｂは、表示装置保持部２６１が前述の揺動位置と同じ揺動角度で下側揺動支持部材１２５ｂに対して着脱される場合にのみ、表示装置保持部２６１の下側揺動軸部２７８ｂおよび下側揺動アーム部２７６ｂを通過させるようになっている。
【００６２】
固定保持部材１３１は、図５および図１７に示すように、金属板材を用いて上下方向に細長く延びる板状に形成され、ネジ等の結合手段（図示せず）を用いて第１フレーム１０１（第１上側フレーム部１１１）の右上部内側に結合される。固定保持部材１３１の上下に、ロック受け部１３２ａ，１３２ｂが形成される。上下のロック受け部１３２ａ，１３２ｂは、表示装置保持部２６１が保持位置に揺動する状態で、表示装置保持部２６１に設けられた上下のロック機構部２７４ａ，２７４ｂと係合可能に構成される。なお、上下のロック受け部１３２ａ，１３２ｂに、上下のロック機構部２７４ａ，２７４ｂに設けられたガイドピン２７５ａ，２７５ｂが挿通可能なガイド穴部１３３ａ，１３３ｂが形成される。
【００６３】
表示装置保持部２６１は、図５および図１４に示すように、画像表示装置２５１の後側を保持する第１保持部材２７１と、画像表示装置２５１の前側を保持する第２保持部材２８１とから構成される。第１保持部材２７１は、樹脂材料を用いて前方が開口した箱状に形成される。なお、第１保持部材２７１の後側に、副制御装置８０が取り付けられる。第１保持部材２７１の前側に、画像表示装置２５１の後側を収容保持する収容保持部２７２が形成される。収容保持部２７２の底部に、第２保持部材２８１の係合ピン部２８４が係合可能なベゼル係合穴部２７３が形成される。
【００６４】
第１保持部材２７１の左側部上側に、上側揺動アーム部２７６ａが左方に突出して形成される。上側揺動アーム部２７６ａの先端部に、上側揺動軸部２７８ａが下方に突出して形成される。上側揺動軸部２７８ａは、上側揺動支持部材１２５ａの支持穴部１２６ａと回転自在に係合する。第１保持部材２７１の左側部下側に、下側揺動アーム部２７６ｂが左方に突出して形成される。下側揺動アーム部２７６ｂの先端部に、下側揺動軸部２７８ｂが下方に突出して形成される。下側揺動軸部２７８ｂは、下側揺動支持部材１２５ｂの支持穴部１２６ｂと回転自在に係合する。
【００６５】
第１保持部材２７１の右側部に、上下のロック機構部２７４ａ，２７４ｂが設けられる。上下のロック機構部２７４ａ，２７４ｂは、表示装置保持部２６１が前述の保持位置に揺動する状態で、固定保持部材１３１の上下のロック受け部１３２ａ，１３２ｂと係合可能に構成される。上下のロック機構部２７４ａ，２７４ｂが上下のロック受け部１３２ａ，１３２ｂと係合した状態で、固定保持部材１３１により表示装置保持部２６１が保持位置で固定保持される。なお、上下のロック機構部２７４ａ，２７４ｂと、上下のロック受
け部１３２ａ，１３２ｂの構成は、図５等に示すような回転操作によりロックを行う構成に限られるものではなく、例えば、スライド操作によりロックを行う構成等、公知の構成を用いることが可能である。上下のロック機構部２７４ａ，２７４ｂには、先端部が円錐状のガイドピン２７５ａ，２７５ｂが形成される。上下のガイドピン２７５ａ，２７５ｂは、表示装置保持部２６１が保持位置に揺動すると、固定保持部材１３１の上下のガイド穴部１３３ａ，１３３ｂに挿通されるようになっている。
【００６６】
なお、上下の揺動アーム部２７６ａ，２７６ｂ（揺動軸部２７８ａ，２７８ｂ）が並ぶ方向と、上下のロック機構部２７４ａ，２７４ｂが並ぶ方向は、第１保持部材２７１の側部の延伸方向に対して前後に傾斜している。そして、揺動支持ユニット１２１および固定保持部材１３１により、画像表示ユニット２５０が第１フレーム１０１（第１上側フレーム部１１１）の上部後側に取り付けられると、表示装置保持部２６１に保持された画像表示装置２５１の表示画面２５２が、鉛直面に対し下方に傾斜するようになっている（図２０を参照）。画像表示装置２５１の表示画面２５２の鉛直面に対する傾斜角度は、（スロットマシン１が設置される）遊技施設の照明器具（図示せず）から射出される照明光が画像表示装置２５１の表示画面２５２で反射しても、（設計的な）遊技者の眼の位置に達し難い角度に設定される。これにより、画像表示装置２５１の表示画面２５２の視認性を向上させることができる。
【００６７】
第２保持部材２８１は、図１４および図１５に示すように、樹脂材料を用いて、画像表示装置２５１の外周形状に合わせた枠状に形成される。第２保持部材２８１は、ネジ等の結合手段（図示せず）を用いて第１保持部材２７１の前側に結合され、表示画面２５２を露出させた状態で画像表示装置２５１の前側を保持する。第２保持部材２８１の前部に、額縁状のベゼル部２８２が形成される。ベゼル部２８２は、演出装置３００の窓枠部３１１と同じ色（例えば、黒色）を有し、表示画面２５２を囲む画像表示装置２５１のフレーム部２５３を前方から覆うようになっている。第２保持部材２８１の後側に、第１保持部材２７１のベゼル係合穴部２７３に係合可能な係合ピン部２８４が形成される。
【００６８】
以上のように構成される画像表示ユニット２５０を前扉２の第１フレーム１０１（第１上側フレーム部１１１）の上部後側に取り付けるには、まず、図１８に示すように、表示装置保持部２６１を揺動支持ユニット１２１および固定保持部材１３１の後方に移動させる。このとき、表示装置保持部２６１の上下の揺動軸部２７８ａ，２７８ｂを、揺動支持ユニット１２１における上下の揺動支持部材１２５ａ，１２５ｂの上部に近接させる。またこのとき、表示装置保持部２６１を前述の揺動位置と同じ揺動角度となるように保持する。
【００６９】
次に、図１９に示すように、表示装置保持部２６１を下方に移動させて、表示装置保持部２６１の上下の揺動軸部２７８ａ，２７８ｂを上下の揺動支持部材１２５ａ，１２５ｂの支持穴部１２６ａ，１２６ｂと係合させる。これにより、表示装置保持部２６１は、上下の揺動支持部材１２５ａ，１２５ｂに、前述の保持位置と揺動位置との間で揺動自在に支持される。なお、上下の揺動支持部材１２５ａ，１２５ｂに支持された表示装置保持部２６１が揺動位置以外の位置（例えば、保持位置）で上方に移動しようとすると、表示装置保持部２６１の上下の揺動アーム部２７６ａ，２７６ｂが上下の揺動支持部材１２５ａ，１２５ｂの着脱規制部１２７ａ，１２７ｂに当接する。そのため、上下の揺動支持部材１２５ａ，１２５ｂに支持された表示装置保持部２６１が揺動位置以外の位置で着脱されるのを防止することができる。
【００７０】
そして、図２０に示すように、表示装置保持部２６１を揺動位置から保持位置に揺動させて、表示装置保持部２６１の上下のロック機構部２７４ａ，２７４ｂを、固定保持部材１３１の上下のロック受け部１３２ａ，１３２ｂと係合させる。上下のロック機構部２７
４ａ，２７４ｂが上下のロック受け部１３２ａ，１３２ｂと係合した状態で、固定保持部材１３１により表示装置保持部２６１が保持位置で固定保持される。これにより、画像表示ユニット２５０は、揺動支持ユニット１２１および固定保持部材１３１により、前扉２の第１フレーム１０１（第１上側フレーム部１１１）の上部後側に取り付けられる。
【００７１】
本実施形態では、表示装置保持部２６１の上下のロック機構部２７４ａ，２７４ｂと、固定保持部材１３１の上下のロック受け部１３２ａ，１３２ｂとの係合を解除することで、表示装置保持部２６１を一時的に保持位置から後方に揺動させることができる。これにより、図２０に示すような通常の組み立て状態では、画像表示装置２５１と上側視認部１６２（画面保護カバー１６３）との間の部分にアクセスすることが難しくても、表示装置保持部２６１を一時的に保持位置から後方に揺動させることにより、画像表示装置２５１と上側視認部１６２との間の部分にアクセスすることができる。そのため、表示装置保持部２６１を一時的に保持位置から後方に揺動させることにより、例えば、画像表示装置２５１の表示画面２５２や画面保護カバー１６３の後面側の洗浄を行うことができる。また例えば、後述の演出装置３００に設けられる第１回転部材３２１および第２回転部材３６１の回転位置を正規の回転位置に戻す調整を行うことができる。また例えば、スロットマシン１を輸送する際に、スポンジ等の仮固定部材により、後述の演出装置３００に設けられる第１可動ユニット３２０および第２可動ユニット３６０を仮固定することができる。
【００７２】
このように、画像表示装置２５１を保持する表示装置保持部２６１が、保持位置と揺動位置とに揺動可能に構成されることで、スロットマシン１のメンテナンス性を向上させることが可能になる。また、上下の揺動支持部材１２５ａ，１２５ｂを備えた揺動支持ユニット１２１は、筐体５に配設されたヒンジ機構６ａ〜６ｃと同じ側の、前扉２（第１フレーム１０１）の左側に設けられる。そのため、前扉２を一時的に開いた状態で、表示装置保持部２６１を一時的に保持位置から後方に揺動させると、前扉２と筐体５との間が開く側と、表示装置保持部２６１と画面保護カバー１６３との間が開く側が、同じ右側になるため、画像表示装置２５１と画面保護カバー１６３との間の部分に容易にアクセスすることができ、スロットマシン１のメンテナンス性を向上させることが可能になる。
【００７３】
＜演出装置の構成＞
次に、本実施形態に係る演出装置３００の構成について図２１〜図３０を参照して説明する。演出装置３００は、図２１および図２２に示すように、ベースユニット３１０と、第１回転部材３２１を有する第１可動ユニット３２０と、第２回転部材３６１を有する第２可動ユニット３６０と、第１可動ユニット３２０を揺動させる第１駆動ユニット４２０と、第２可動ユニット３６０を揺動させる第２駆動ユニット４６０とから構成される。演出装置３００は、前扉２において、第２フレーム１５１（第２上側フレーム部１６１）の後側における上側視認部１６２の周辺部に取り付けられる（図１０を参照）。これにより、演出装置３００は、第１フレーム１０１（第１上側フレーム部１１１）の上部後側に配設された画像表示装置２５１と、第２フレーム１５１の画面保護カバー１６３との間に配置される（図２０を参照）。
【００７４】
ベースユニット３１０は、図２１および図２２に示すように、樹脂材料を用いて、第２フレーム１５１における上側視認部１６２の周辺部の大きさに合わせた枠状に形成される。ベースユニット３１０の内側に、上側視認部１６２を介して画像表示装置２５１の表示画面２５２を前方から視認可能にする窓枠部３１１が開口形成される。窓枠部３１１の後端部の開口形状は、画像表示装置２５１の表示画面２５２の外周形状に合わせて形成される。
【００７５】
なお、前述したように、画像表示装置２５１のフレーム部２５３は、窓枠部３１１と同じ色を有した表示装置保持部２６１（第２保持部材２８１）のベゼル部２８２に覆われて
いる。そのため、第１フレーム１０１に対する第２フレーム１５１の組み付け誤差により、第１フレーム１０１に取り付けられた画像表示ユニット２５０と、第２フレーム１５１に取り付けられた演出装置３００との相対位置が（設計的な相対位置より）変化しても、画像表示装置２５１のフレーム部２５３が窓枠部３１１の内側に露出して美観が損なわれるのを防止することができる。
【００７６】
ベースユニット３１０の上部右側に、第１可動ユニット支持部３１２が形成される。第１可動ユニット支持部３１２は、図２７および図２８に示すように、第１回転部材３２１を第２回転部材３６１と合体させる第１合体位置と、第１回転部材３２１を第２回転部材３６１から上方に分離させる第１分離位置との間で、第１可動ユニット３２０の第１支持部材３３１を上下方向に揺動自在に支持する。ベースユニット３１０の上部左側に、第１可動ユニット収容部３１３が形成される。第１可動ユニット収容部３１３は、第１分離位置まで揺動した第１支持部材３３１および第１回転部材３２１（すなわち、第１可動ユニット３２０）を収容可能に構成される。第１可動ユニット支持部３１２には、第１駆動ユニット４２０が設けられる。
【００７７】
ベースユニット３１０の下部左側に、第２可動ユニット支持部３１４が形成される。第２可動ユニット支持部３１４は、図２７および図２８に示すように、第２回転部材３６１を第１回転部材３２１と合体させる第２合体位置と、第２回転部材３６１を第１回転部材３２１から下方に分離させる第２分離位置との間で、第２可動ユニット３６０の第２支持部材３７１を上下方向に揺動自在に支持する。ベースユニット３１０の下部右側に、第２可動ユニット収容部３１５が形成される。第２可動ユニット収容部３１５は、第２分離位置まで揺動した第２支持部材３７１および第２回転部材３６１（すなわち、第２可動ユニット３６０）を収容可能に構成される。第２可動ユニット支持部３１４には、第２駆動ユニット４６０が設けられる。
【００７８】
図２８に示すように、ベースユニット３１０の左上部後側に、中継基板取付部３１６が形成される。中継基板取付部３１６には、演出用中継基板３０５が実装面を後方に向けて取り付けられる。演出用中継基板３０５は、実装面に配設された複数の電気コネクタ３０７を介して、第２フレーム１５１に配設された電気部品（第１演出ランプ１２、左右の第２演出ランプ１３ａ，１３ｂ、左右の上部スピーカー１５ａ，１５ｂ、および演出装置３００の各電気部品等）と電気的に接続される。また、演出用中継基板３０５の実装面には、演出用中継コネクタ３０６が配設される。演出用中継コネクタ３０６は、副制御装置８０から延びるケーブルのコネクタ（図示せず）と電気的に接続される。副制御装置８０から演出用中継基板３０５に向けて延びるケーブル（図示せず）は、上下を揺動アーム部２７６ａ，２７６ｂに挟まれた画像表示ユニット２５０と揺動支持ユニット１２１との間隙部に挿通される。これにより、第２フレーム１５１に配設された電気部品を一括で、第１フレーム１０１（第１上側フレーム部１１１）の上部後側に配設された副制御装置８０と電気的に接続させることが可能になり、第２フレーム１５１を第１フレーム１０１の前側に取り付ける際の手間を低減させることができる。
【００７９】
第１可動ユニット３２０は、図２２に示すように、第１回転部材３２１と、第１支持部材３３１と、回転部材駆動部３４６とを有して構成される。第１回転部材３２１は、透光性を有する樹脂材料を用いて、略扇形の板状に形成される。第１回転部材３２１は、図２３に示すように、第１支持部材３３１に取り付けられた回転軸３３７と連結されて、第１支持部材３３１に回転自在に支持される。第１回転部材３２１における回転軸３３７との連結部近傍の側面に、第１回転部材３２１と第２回転部材３６１とが合体する際に第２回転部材３６１に当接する第１当接部３２２が形成される。図２３に示すように、第１当接部３２２には、第１回転部材３２１と第２回転部材３６１とが合体した状態を保持するための第１合体補助磁石３２３が２個内蔵されている。
【００８０】
図２１および図２３に示すように、第１支持部材３３１の第１回転支持部３３６の前面側に（全体的に）重なる状態となる第１回転部材３２１の回転位置を、第１基準回転位置とする。第１回転部材３２１の後面側に、第１回転部材３２１が第１基準回転位置に回転移動したことを検出するための基準回転位置検出片（図示せず）が取り付けられる。図２６に示すように、第１回転部材３２１の外周部近傍には、第１回転部材３２１を第１基準回転位置で保持するように付勢力を与える第１回転側付勢磁石３２４が内蔵されている。
【００８１】
第１支持部材３３１は、樹脂材料を用いて形成され、図２２に示すように、細長く延びる板状に形成された第１揺動アーム部３３２と、第１揺動アーム部３３２の先端部に略扇形の板状に形成された第１回転支持部３３６とを有している。第１揺動アーム部３３２の基端部に、ベースユニット３１０の第１可動ユニット支持部３１２と枢結される第１連結穴部３３３が形成される。これにより、第１支持部材３３１は、第１可動ユニット支持部３１２に前述の第１合体位置と第１分離位置との間で揺動自在に支持される。図２８および図３０に示すように、第１揺動アーム部３３２の側部に、第１揺動アーム部３３２の延伸方向に沿って延びる第１スライド穴部３３４が形成される。第１スライド穴部３３４には、第１駆動ユニット４２０の第１揺動リンク部材４３３に設けられたスライドピン（図示せず）がスライド移動自在に連結される。なお、図３０において、第１揺動リンク部材４３３の図示を省略している。
【００８２】
図２３に示すように、第１回転支持部３３６の前面側に、第１回転部材３２１と連結された回転軸３３７が取り付けられる。第１回転支持部３３６の内周側端部に、第１回転部材３２１とともに回転軸３３７を回転自在に支持する軸支持部３３８が設けられる。図２８および図３０に示すように、第１回転支持部３３６の後面側に、合体検出片３３９が取り付けられる。合体検出片３３９は、図２８に示すように、第１可動ユニット３２０の第１支持部材３３１が第１合体位置に揺動し、第２可動ユニット３６０の第２支持部材３７１が第２合体位置に揺動して、第１支持部材３３１の第１回転支持部３３６と第２支持部材３７１の第２回転支持部３７６とが合体すると、第２回転支持部３７６に設けられた合体検出センサ３７９の検出部に達するように配置される。
【００８３】
図２６に示すように、第１回転支持部３３６の外周部近傍には、第１回転部材３２１を第１基準回転位置で保持するように付勢力を与える第１支持側付勢磁石３４０が内蔵されている。第１回転部材３２１の第１回転側付勢磁石３２４と、第１回転支持部３３６の第１支持側付勢磁石３４０とは、第１回転部材３２１が第１基準回転位置に回転移動すると、互いに対向するように配置される。このとき、第１回転側付勢磁石３２４は、第１支持側付勢磁石３４０に対して磁石のＮ極とＳ極のうち一方を向けて配置され、第１支持側付勢磁石３４０は、第１回転側付勢磁石３２４に対して磁石のＮ極とＳ極のうち他方を向けて配置される。これにより、第１回転側付勢磁石３２４および第１支持側付勢磁石３４０は、磁力を用いた引力により、第１回転部材３２１を第１基準回転位置で保持するように付勢力を与える。
【００８４】
図２２に示すように、第１回転支持部３３６の前面内周側に、第１装飾ランプ基板３４１が取り付けられる。第１装飾ランプ基板３４１には、第１回転部材３２１もしくは第２回転部材３６１を発光させるための発光素子（図示せず）と、基準回転位置検出センサ３４２とが配設される。基準回転位置検出センサ３４２は、第１回転部材３２１が第１基準回転位置に回転移動すると、第１回転部材３２１に取り付けられた基準回転位置検出片（図示せず）を検出し、基準回転位置検出信号を出力する。
【００８５】
回転部材駆動部３４６は、図２３に示すように、回転駆動モータ３４７と、回転駆動機構３４８とを有して構成され、第１回転支持部３３６の内周側に設けられる。回転駆動モ
ータ３４７は、第１回転支持部３３６の後面内周側に取り付けられ、第１回転支持部３３６の軸支持部３３８に回転自在に支持された回転軸３３７を回転駆動する。回転駆動機構３４８は、第１回転支持部３３６の内部に取り付けられた歯車機構等から構成され、回転駆動モータ３４７の回転駆動力を回転軸３３７に伝達する。これにより、回転部材駆動部３４６は、回転軸３３７を介して第１回転部材３２１を回転駆動する。
【００８６】
第２可動ユニット３６０は、図２２に示すように、第２回転部材３６１と、第２支持部材３７１とを有して構成される。第２回転部材３６１は、透光性を有する樹脂材料を用いて、略扇形の板状に形成される。第２回転部材３６１は、図２４に示すように、第２支持部材３７１に取り付けられた回転連結部材３７７と連結されて、第２支持部材３７１に回転自在に支持される。第２回転部材３６１における回転連結部材３７７との連結部近傍の側面に、第１回転部材３２１と第２回転部材３６１とが合体する際に第１回転部材３２１（第１当接部３２２）に当接する第２当接部３６２が形成される。第１回転部材３２１の第１当接部３２２と第２回転部材３６１の第２当接部３６２とが当接して、第１回転部材３２１と第２回転部材３６１とが合体すると、図２１に示すように、２つの扇形が組み合わさるようにして、略回転対称に形成された１つの合体演出部材が形成されるように構成される。
【００８７】
第２当接部３６２には、第１回転部材３２１と第２回転部材３６１とが合体した状態を保持するための第２合体補助磁石３６３が２個内蔵されている。第１回転部材３２１の第１合体補助磁石３２３と、第２回転部材３６１の第２合体補助磁石３６３とは、第１回転部材３２１と第２回転部材３６１とが合体すると、互いに対向するように配置される。このとき、第１合体補助磁石３２３は、第２合体補助磁石３６３に対して磁石のＮ極とＳ極のうち一方を向けて配置され、第２合体補助磁石３６３は、第１合体補助磁石３２３に対して磁石のＮ極とＳ極のうち他方を向けて配置される。これにより、第１合体補助磁石３２３および第２合体補助磁石３６３は、磁力を用いた引力により、第１回転部材３２１と第２回転部材３６１とが合体した状態を保持するように付勢力を与える。
【００８８】
図２１および図２４に示すように、第２支持部材３７１の第２回転支持部３７６の前面側に（全体的に）重なる状態となる第２回転部材３６１の回転位置を、第２基準回転位置とする。図２５に示すように、第２回転部材３６１の外周部近傍には、第２回転部材３６１を第２基準回転位置で保持するように付勢力を与える第２回転側付勢磁石３６４が内蔵されている。
【００８９】
第２支持部材３７１は、樹脂材料を用いて形成され、図２２に示すように、細長く延びる板状に形成された第２揺動アーム部３７２と、第２揺動アーム部３７２の先端部に略扇形の板状に形成された第２回転支持部３７６とを有している。第２揺動アーム部３７２の基端部に、ベースユニット３１０の第２可動ユニット支持部３１４と枢結される第２連結穴部３７３が形成される。これにより、第２支持部材３７１は、第２可動ユニット支持部３１４に前述の第２合体位置と第２分離位置との間で揺動自在に支持される。図２８および図３０に示すように、第２揺動アーム部３７２の側部に、第２揺動アーム部３７２の延伸方向に沿って延びる第２スライド穴部３７４が形成される。第２スライド穴部３７４には、第２駆動ユニット４６０の第２揺動リンク部材４７３に設けられたスライドピン（図示せず）がスライド移動自在に連結される。なお、図３０において、第２揺動リンク部材４７３の図示を省略している。
【００９０】
図２３に示すように、第２回転支持部３７６の内周部に、第２回転部材３６１と連結された回転連結部材３７７が取り付けられる。図２２に示すように、第２回転支持部３７６の内周部に、第２回転部材３６１とともに回転連結部材３７７を回転自在に支持する回転ガイド部３７８が設けられる。回転ガイド部３７８は、断面視円弧状に延びる筒状に形成
される。回転ガイド部３７８の切欠き部分は、第１回転支持部３３６の回転軸３３７を通過させることが可能な幅に設定される。回転ガイド部３７８の内側の空間部分に、回転連結部材３７７の軸挿通部３７７ａに挿通される第１回転支持部３３６の回転軸３３７を受容可能な軸受容部３７８ａが形成される。
【００９１】
回転連結部材３７７は、図２４および図３０に示すように、断面視円弧状に延びる板状に形成される。回転連結部材３７７は、外周部が回転ガイド部３７８の内周面に摺接した状態で、回転ガイド部３７８に回転自在に支持される。なお、回転連結部材３７７および回転ガイド部３７８の円弧の中心角は、１８０度よりも大きくなるように設定され、回転連結部材３７７が１回転以上回転しても、回転ガイド部３７８の切欠き部分から回転連結部材３７７が外れないようになっている。また、回転連結部材３７７の前後の外縁部は、回転ガイド部３７８の前後に重なるように形成されて、回転ガイド部３７８の前後方向に回転連結部材３７７が外れないようになっている。
【００９２】
回転連結部材３７７の切欠き部分は、第１回転支持部３３６の回転軸３３７を通過させることが可能な幅に設定される。回転連結部材３７７の内側の空間部分には、回転連結部材３７７の切欠き部分を通過した第１回転支持部３３６の回転軸３３７を挿通させることが可能な軸挿通部３７７ａが形成される。回転連結部材３７７は、第１回転支持部３３６の回転軸３３７が挿通部３７７ａに挿通された状態で、回転軸３３７の周辺部において同軸で回転することができるように構成される。回転連結部材３７７の切欠き部分は、第２回転部材３６１が第２基準回転位置に位置するときに、回転ガイド部３７８の切欠き部分と位置整合するように構成される。第１回転支持部３３６の回転軸３３７は、第２回転部材３６１が第２基準回転位置に位置するときに、回転連結部材３７７および回転ガイド部３７８の切欠き部分を通過して、回転連結部材３７７の軸挿通部３７７ａまで移動することができる。
【００９３】
なお、回転ガイド部３７８の切欠き部分は、回転連結部材３７７の切欠き部分よりも若干大きい幅を有している。そのため、第１回転支持部３３６の回転軸３３７は、第２回転部材３６１が第２基準回転位置から若干ずれた回転位置に位置して、回転連結部材３７７の切欠き部分が回転ガイド部３７８の切欠き部分に対して若干ずれる場合でも（図２９および図３０を参照）、回転連結部材３７７および回転ガイド部３７８の切欠き部分を通過して、回転連結部材３７７の軸挿通部３７７ａまで移動することができる。回転連結部材３７７における切欠き部分と接する端部には、回転連結部材３７７の切欠き部分が回転ガイド部３７８の切欠き部分に対して若干ずれる場合でも、回転連結部材３７７の切欠き部分に達した回転軸３３７を軸挿通部３７７ａに導くことが可能な軸ガイド部３７７ｂが形成されている。これにより、第２回転部材３６１が第２基準回転位置から若干ずれた回転位置に位置する場合でも、第１回転支持部３３６の回転軸３３７を回転連結部材３７７の軸挿通部３７７ａに挿通させて、第１回転部材３２１と第２回転部材３６１とを合体させることが可能になる。
【００９４】
図２８および図３０に示すように、第２回転支持部３７６の後面側に、合体検出センサ３７９が取り付けられる。合体検出センサ３７９は、図２８に示すように、第１可動ユニット３２０の第１支持部材３３１が第１合体位置に揺動し、第２可動ユニット３６０の第２支持部材３７１が第２合体位置に揺動して、第１支持部材３３１の第１回転支持部３３６と第２支持部材３７１の第２回転支持部３７６とが合体すると、第１回転支持部３３６に設けられた合体検出片３３９を検出し、合体検出信号を出力する。
【００９５】
図２５に示すように、第２回転支持部３７６の外周部近傍には、第２回転部材３６１を第２基準回転位置で保持するように付勢力を与える第２支持側付勢磁石３８０が内蔵されている。第２回転部材３６１の第２回転側付勢磁石３６４と、第２回転支持部３７６の第
２支持側付勢磁石３８０とは、第２回転部材３６１が第２基準回転位置に回転移動すると、互いに対向するように配置される。このとき、第２回転側付勢磁石３６４は、第２支持側付勢磁石３８０に対して磁石のＮ極とＳ極のうち他方（第１回転側付勢磁石３２４と逆の方の極）を向けて配置され、第２支持側付勢磁石３８０は、第２回転側付勢磁石３６４に対して磁石のＮ極とＳ極のうち一方（第１支持側付勢磁石３４０と逆の方の極）を向けて配置される。これにより、第２回転側付勢磁石３６４および第２支持側付勢磁石３８０は、磁力を用いた引力により、第２回転部材３６１を第２基準回転位置で保持するように付勢力を与える。
【００９６】
なお、第１回転部材３２１の第１回転側付勢磁石３２４と、第２回転支持部３７６の第２支持側付勢磁石３８０とは、第１回転部材３２１と第２回転部材３６１とが（合体して）一体的に各基準回転位置から１８０度だけ回転移動すると、互いに対向するように配置される。このとき、第２支持側付勢磁石３８０は、第１回転側付勢磁石３２４に対して第１支持側付勢磁石３４０と逆の方の極を向けて配置される。これにより、第１回転側付勢磁石３２４と第２支持側付勢磁石３８０との間に、磁力を用いた反発力が作用し、第１回転部材３２１が第１基準回転位置から１８０度だけ回転移動した回転位置で留まり難いように付勢力を与える。
【００９７】
また、第２回転部材３６１の第２回転側付勢磁石３６４と、第１回転支持部３３６の第１支持側付勢磁石３４０とは、第１回転部材３２１と第２回転部材３６１とが（合体して）一体的に各基準回転位置から１８０度だけ回転移動すると、互いに対向するように配置される。このとき、第２回転側付勢磁石３６４は、第１支持側付勢磁石３４０に対して第１回転側付勢磁石３２４と逆の方の極を向けて配置される。これにより、第２回転側付勢磁石３６４と第１支持側付勢磁石３４０との間に、磁力を用いた反発力が作用し、第２回転部材３６１が第２基準回転位置から１８０度だけ回転移動した回転位置で留まり難いように付勢力を与える。このように、第１回転側付勢磁石３２４および第１支持側付勢磁石３４０のＮ極とＳ極の向きを、第２回転側付勢磁石３６４および第２支持側付勢磁石３８０のＮ極とＳ極の向きに対して逆に配置することで、第１回転部材３２１および第２回転部材３６１に対して不要な付勢力が作用することを防止している。
【００９８】
図２２に示すように、第２回転支持部３７６の前面内周側に、第２装飾ランプ基板３８１が取り付けられる。第２装飾ランプ基板３８１には、第１回転部材３２１もしくは第２回転部材３６１を発光させるための発光素子（図示せず）が配設される。第１回転支持部３３６の第１装飾ランプ基板３４１と、第２回転支持部３７６の第２装飾ランプ基板３８１とは、第１回転部材３２１と第２回転部材３６１とが合体した状態で、第１回転部材３２１および第２回転部材３６１の後方において略円環状に並んで配置され、合体した第１回転部材３２１および第２回転部材３６１を一体的に発光させることができるようになっている。
【００９９】
第１駆動ユニット４２０は、図２２〜図２４に示すように、第１駆動モータ４２１と、第１駆動力伝達機構４３１とを有して構成され、ベースユニット３１０の第１可動ユニット支持部３１２の内部側に設けられる。第１駆動モータ４２１は、第１可動ユニット支持部３１２に揺動自在に支持された第１可動ユニット３２０の第１支持部材３３１を駆動する。第１駆動力伝達機構４３１は、第１歯車機構４３２と、第１揺動リンク部材４３３とを有して構成される。第１歯車機構４３２は、第１駆動モータ４２１の回転駆動力を第１揺動リンク部材４３３に伝達する。第１揺動リンク部材４３３は、樹脂材料を用いて板状に形成される。第１揺動リンク部材４３３の基端側は、第１可動ユニット支持部３１２に回転自在に連結されて第１歯車機構４３２と噛合される。第１揺動リンク部材４３３の先端側に不図示のスライドピンが設けられ、当該スライドピンが第１支持部材３３１（第１揺動アーム部３３２）の第１スライド穴部３３４にスライド移動自在に連結される。
【０１００】
第１揺動リンク部材４３３は、第１歯車機構４３２から伝達される回転駆動力を受けて（前方から見て）時計回りに回転すると、第１支持部材３３１（第１揺動アーム部３３２）を時計回りに揺動させる。一方、第１揺動リンク部材４３３は、第１歯車機構４３２から伝達される回転駆動力を受けて反時計回りに回転すると、第１支持部材３３１を反時計回りに揺動させる。第１揺動リンク部材４３３は、第１支持部材３３１を前述の第１合体位置まで揺動させる回転角度位置と、第１支持部材３３１を前述の第１分離位置まで揺動させる回転角度位置との間で、１回転未満の回転角度範囲で回転可能に構成される。このようにして、第１駆動ユニット４２０は、第１合体位置と第１分離位置との間で、第１可動ユニット３２０の第１支持部材３３１を上下方向に揺動させる。
【０１０１】
第１駆動力伝達機構４３１における第１揺動リンク部材４３３の近傍には、第１合体位置検出センサ４３４と、第１分離位置検出センサ４３５とが設けられる。第１合体位置検出センサ４３４は、第１支持部材３３１を第１合体位置まで揺動させる回転角度位置に回転した第１揺動リンク部材４３３を検出し、第１合体位置検出信号を出力する。第１分離位置検出センサ４３５は、第１支持部材３３１を第１分離位置まで揺動させる回転角度位置に回転した第１揺動リンク部材４３３を検出し、第１分離位置検出信号を出力する。
【０１０２】
第２駆動ユニット４６０は、図２２〜図２４に示すように、第２駆動モータ４６１と、第２駆動力伝達機構４７１とを有して構成され、ベースユニット３１０の第２可動ユニット支持部３１４の内部側に設けられる。第２駆動モータ４６１は、第２可動ユニット支持部３１４に揺動自在に支持された第２可動ユニット３６０の第２支持部材３７１を駆動する。第２駆動力伝達機構４７１は、第２歯車機構４７２と、第２揺動リンク部材４７３とを有して構成される。第２歯車機構４７２は、第２駆動モータ４６１の回転駆動力を第２揺動リンク部材４７３に伝達する。第２揺動リンク部材４７３は、樹脂材料を用いて板状に形成される。第２揺動リンク部材４７３の基端側は、第２可動ユニット支持部３１４に回転自在に連結されて第２歯車機構４７２と噛合される。第２揺動リンク部材４７３の先端側に不図示のスライドピンが設けられ、当該スライドピンが第２支持部材３７１（第２揺動アーム部３７２）の第２スライド穴部３７４にスライド移動自在に連結される。
【０１０３】
第２揺動リンク部材４７３は、第２歯車機構４７２から伝達される回転駆動力を受けて（前方から見て）時計回りに回転すると、第２支持部材３７１（第２揺動アーム部３７２）を時計回りに揺動させる。一方、第２揺動リンク部材４７３は、第２歯車機構４７２から伝達される回転駆動力を受けて反時計回りに回転すると、第２支持部材３７１を反時計回りに揺動させる。第２揺動リンク部材４７３は、第２支持部材３７１を前述の第２合体位置まで揺動させる回転角度位置と、第２支持部材３７１を前述の第２分離位置まで揺動させる回転角度位置との間で、１回転未満の回転角度範囲で回転可能に構成される。このようにして、第２駆動ユニット４６０は、第２合体位置と第２分離位置との間で、第２可動ユニット３６０の第２支持部材３７１を上下方向に揺動させる。
【０１０４】
第２駆動力伝達機構４７１における第２揺動リンク部材４７３の近傍には、第２合体位置検出センサ４７４と、第２分離位置検出センサ４７５とが設けられる。第２合体位置検出センサ４７４は、第２支持部材３７１を第２合体位置まで揺動させる回転角度位置に回転した第２揺動リンク部材４７３を検出し、第２合体位置検出信号を出力する。第２分離位置検出センサ４７５は、第２支持部材３７１を第２分離位置まで揺動させる回転角度位置に回転した第２揺動リンク部材４７３を検出し、第２分離位置検出信号を出力する。
【０１０５】
以上のように構成される演出装置３００において、通常の遊技状態のとき、図２４および図２５に示すように、第１可動ユニット３２０の第１支持部材３３１が第１駆動ユニット４２０により第１分離位置に揺動し、第２可動ユニット３６０の第２支持部材３７１が
第２駆動ユニット４６０により第２分離位置に揺動する。これにより、第１可動ユニット３２０がベースユニット３１０の第１可動ユニット収容部３１３に収容され、第２可動ユニット３６０がベースユニット３１０の第２可動ユニット収容部３１５に収容されるため、（第２フレーム１５１の上側視認部１６２および）ベースユニット３１０の窓枠部３１１を介して画像表示装置２５１の表示画面２５２のみを前方から視認可能な状態となる。
【０１０６】
このとき、第１可動ユニット３２０の第１回転部材３２１は、回転部材駆動部３４６により第１基準回転位置に回転移動する。第１回転部材３２１の第１回転側付勢磁石３２４と、第１回転支持部３３６の第１支持側付勢磁石３４０とは、磁力を用いた引力により、第１回転部材３２１を第１基準回転位置で保持するように付勢力を与える。第１可動ユニット３２０が略水平方向を向いて第１可動ユニット収容部３１３に収容された状態で、第１回転支持部３３６において第１基準回転位置で保持された第１回転部材３２１は、第１当接部３２２が真下を向くようになっている。同様に、第１回転部材３２１と連結された回転軸３３７は、第１回転支持部３３６の下側に位置するようになっている。
【０１０７】
またこのとき、第２可動ユニット３６０の第２回転部材３６１は、重心の関係で外周側が下方に位置するように回転することで、重力を利用して第２基準回転位置に回転移動する。第２回転部材３６１の第２回転側付勢磁石３６４と、第２回転支持部３７６の第２支持側付勢磁石３８０とは、磁力を用いた引力により、第２回転部材３６１を第２基準回転位置で保持するように付勢力を与える。第２可動ユニット３６０が略水平方向を向いて第２可動ユニット収容部３１５に収容された状態で、第２回転支持部３７６において第２基準回転位置で保持された第２回転部材３６１は、第２当接部３６２が真上を向くようになっている。同様に、第２回転部材３６１と連結された回転連結部材３７７は、第２回転支持部３７６の上側に位置して、回転連結部材３７７（および回転ガイド部３７８）の切欠き部分が上方を向くようになっている。
【０１０８】
所定の遊技状態のとき、図２７および図２８に示すように、第１可動ユニット３２０の第１支持部材３３１が第１駆動ユニット４２０により第１分離位置から下方の第１合体位置に揺動し、第２可動ユニット３６０の第２支持部材３７１が第２駆動ユニット４６０により第２分離位置から上方の第２合体位置に揺動する。これにより、画像表示装置２５１の表示画面２５２の前方に、第１可動ユニット３２０および第２可動ユニット３６０が出現した状態となる。
【０１０９】
そうすると、第１回転支持部３３６において第１基準回転位置で保持された第１回転部材３２１と、第２回転支持部３７６において第２基準回転位置で保持された第２回転部材３６１とが合体する。また、第１回転部材３２１を支持する第１回転支持部３３６と、第２回転部材３６１を支持する第２回転支持部３７６とが合体する。このとき、第１回転部材３２１の第１当接部３２２と第２回転部材３６１の第２当接部３６２とが当接して、第１回転部材３２１と第２回転部材３６１とが合体すると、２つの扇形が組み合わさるようにして、略回転対称に形成された１つの合体演出部材が形成される。第１回転支持部３３６と第２回転支持部３７６とが合体すると、２つの扇形が組み合わさるようにして、合体演出部材と同様の外周形状を有する１つの合体支持部が形成される。
【０１１０】
またこのとき、第１回転支持部３３６の回転軸３３７は、第２回転支持部３７６における回転連結部材３７７および回転ガイド部３７８の切欠き部分を通過して、回転連結部材３７７の軸挿通部３７７ａまで移動する。これにより、第１回転支持部３３６の回転軸３３７が回転連結部材３７７の挿通部３７７ａに挿通され、回転連結部材３７７は、回転軸３３７の周辺部において同軸で回転可能となる。そのため、第１回転支持部３３６の回転軸３３７と連結された第１回転部材３２１と、第２回転支持部３７６の回転連結部材３７７と連結された第２回転部材３６１とは、合体した状態で一体的に回転可能となる。
【０１１１】
次に、第１可動ユニット３２０の回転部材駆動部３４６が第１回転部材３２１を回転駆動する。回転部材駆動部３４６の回転駆動力は、第１回転部材３２１に対して作用するだけでなく、第１回転部材３２１の第１当接部３２２と第２回転部材３６１の第２当接部３６２とを介して、第２回転部材３６１に対しても作用する。これにより、第１回転部材３２１と第２回転部材３６１とは、第１回転側付勢磁石３２４および第１支持側付勢磁石３４０の付勢力と、第２回転側付勢磁石３６４および第２支持側付勢磁石３８０の付勢力に抗して、合体した状態で一体的に回転する。
【０１１２】
次に、第１可動ユニット３２０の回転部材駆動部３４６が、回転駆動している第１回転部材３２１を第１基準回転位置で停止させる。このとき、第１回転部材３２１と合体した第２回転部材３６１は、第２基準回転位置で停止する。なお、第２回転支持部３７６の合体検出センサ３７９が第１回転支持部３３６の合体検出片３３９を検出して合体検出信号を出力する状態でのみ、第１可動ユニット３２０の回転部材駆動部３４６が第１回転部材３２１を（第１基準回転位置以外の回転位置へ）回転駆動することができるようになっている。これにより、第１回転部材３２１と第２回転部材３６１とが合体していない状態で、回転部材駆動部３４６が第１回転部材３２１を回転駆動するのを防止することができる。
【０１１３】
そして、第１可動ユニット３２０の第１支持部材３３１が第１駆動ユニット４２０により第１合体位置から上方の第１分離位置に揺動し、第２可動ユニット３６０の第２支持部材３７１が第２駆動ユニット４６０により第２合体位置から下方の第２分離位置に揺動する。そうすると、第１回転支持部３３６において第１基準回転位置で保持された第１回転部材３２１と、第２回転支持部３７６において第２基準回転位置で保持された第２回転部材３６１とが分離する。また、第１回転部材３２１を支持する第１回転支持部３３６と、第２回転部材３６１を支持する第２回転支持部３７６とが分離する。このとき、第１回転支持部３３６の回転軸３３７は、第２回転支持部３７６における回転連結部材３７７および回転ガイド部３７８の切欠き部分を通過して、回転連結部材３７７の軸挿通部３７７ａから離脱する。
【０１１４】
このように、本実施形態では、第１支持部材３３１が第１合体位置に揺動し、第２支持部材３７１が第２合体位置に揺動して、第１回転部材３２１と第２回転部材３６１とが合体すると、第１可動ユニット３２０の回転部材駆動部３４６により、第１回転部材３２１と第２回転部材３６１とが一体的に回転可能となるように構成される。これにより、回転部材駆動部３４６を１つだけ設ければよいため、第２の回転部材駆動部を省いた分だけ演出装置３００の取り付けスペースを確保することが容易になり、演出装置３００を大型化することが可能になる。
【０１１５】
また、第１回転部材３２１が第１基準回転位置で保持されるとともに、第２回転部材３６１が第２基準回転位置で保持される状態で、第１支持部材３３１が第１合体位置に揺動し、第２支持部材３７１が第２合体位置に揺動すると、第１回転部材３２１と第２回転部材３６１とが合体する。そして、第１可動ユニット３２０の回転部材駆動部３４６により、第１回転側付勢磁石３２４および第１支持側付勢磁石３４０の付勢力と、第２回転側付勢磁石３６４および第２支持側付勢磁石３８０の付勢力に抗して、第１回転部材３２１と第２回転部材３６１とが一体的に回転可能となるように構成される。これにより、分離した状態における第１回転部材３２１と第２回転部材３６１との相対位置関係が一定となるため、第１回転部材３２１と第２回転部材３６１とを確実に合体させることができる。
【０１１６】
また、第１可動ユニット３２０の方に回転部材駆動部３４６を設けることで、第２可動ユニット３６０の方が軽くなるため、第２可動ユニット３６０の第２支持部材３７１を第
２分離位置から上方の第２合体位置に揺動させる第２駆動ユニット４６０の負荷を低減させることができる。また、前述したように、第２支持部材３７１が第２分離位置に揺動したとき、第２回転部材３６１は（回転部材駆動部を用いずに）重力を利用して第２基準回転位置に回転移動することができるからである。
【０１１７】
なお、電源断の状態から復帰する際、第１駆動ユニット４２０および第２可動ユニット３６０は、第１支持部材３３１および第２支持部材３７１を第１合体位置および第２合体位置に揺動させて、第１回転部材３２１と第２回転部材３６１とを一旦合体させた後、第１支持部材３３１および第２支持部材３７１を第１分離位置および第２分離位置に揺動させる。なおこのとき、回転部材駆動部３４６は、第１回転部材３２１を第１基準回転位置に回転移動させる。これにより、電源断の状態から復帰する際、電源断が生じる前の作動状態に拘わらず、第１回転部材３２１および第２回転部材３６１が第１基準回転位置および第２基準回転位置で保持される状態で、第１支持部材３３１および第２支持部材３７１を第１分離位置および第２分離位置に揺動させることができる。
【０１１８】
＜中継基板ケースユニットの構成＞
次に、本実施形態に係る中継基板ケースユニット５００の構成について図３１〜図４０を参照して説明する。中継基板ケースユニット５００は、図３１および図３２に示すように、中継基板５０１と、中継基板５０１を収容する中継基板ケース５１１とを主体に構成される。また、中継基板ケースユニット５００の上方近傍に、配線カバー５９０が取り付けられるようになっている。中継基板５０１は、ＢＥＴスイッチユニット２３、スタートレバー２５、ストップスイッチユニット２００、およびメダルセレクタ６５０と、主制御装置７０とに電気的に接続され、ＢＥＴスイッチユニット２３、スタートレバー２５、ストップスイッチユニット２００、およびメダルセレクタ６５０から出力された各種検出信号を主制御装置７０に対して送信可能に構成される。
【０１１９】
中継基板５０１は、電気コネクタ等の各種電気部品を備えて構成される。中継基板５０１の右下部（図３２における左下部）に、中継基板５０１を中継基板ケース５１１の中継基板ケース本体５２１に対して固定するための第１固定穴部５０２が形成される。中継基板５０１の右下部における第１固定穴部５０２の上下に、中継基板ケース５１１の第１ケース結合部材５４１を仮固定するための一対の第１係合穴部５０３が形成される。中継基板５０１の左上部に、中継基板５０１を中継基板ケース本体５２１に対して固定するための第２固定穴部５０４が形成される。中継基板５０１の左上部における第２固定穴部５０４の上下に、中継基板ケース５１１の第２ケース結合部材５５１を仮固定するための一対の第２係合穴部５０５が形成される。中継基板５０１の右上部に、中継基板５０１を中継基板ケース本体５２１に対して固定するための第３固定穴部５０６が形成される。中継基板５０１の左下部に、中継基板５０１を中継基板ケース本体５２１に対して固定するための第４固定穴部５０８が形成される。
【０１２０】
中継基板ケース５１１は、中継基板ケース本体５２１と、中継基板ケース蓋５３１と、第１および第２ケース結合部材５４１，５５１とを有し、第１および第２ケース結合部材５４１，５５１を用いて中継基板ケース本体５２１と中継基板ケース蓋５３１とが結合されて形成されるケース内部に、中継基板５０１を収容可能に構成される。中継基板ケース本体５２１は、透明の樹脂材料を用いて一方が開口した矩形箱状に形成される。中継基板ケース本体５２１は、ネジ等の固定手段（図示せず）を用いて、前扉２における下パネル部材１４５の後面側に取り付け固定される。
【０１２１】
中継基板ケース本体５２１の左右側部に、中継基板ケース蓋５３１の係止爪部５３２が係止可能な係止穴部５２２が形成される。中継基板ケース本体５２１の右上部（図３２における左上部）に、操作スイッチ用コネクタカバー５７１のフランジ部５７２が上方から
挿入されるカバー受容部５２３が形成される。図３４に示すように、中継基板ケース本体５２１の左上部に、スタートスイッチカバー５６１のカバー結合部５６３と係合可能なスイッチカバー係合部５２４が形成される。中継基板ケース本体５２１の中央上部に、中継基板５０１を中継基板ケース本体５２１の底部に仮固定するための固定爪部５２５が形成される。
【０１２２】
図３９に示すように、中継基板ケース本体５２１の底部の右下部に、中継基板５０１の右下部を支持する第１ボス部５２６が形成される。第１ボス部５２６は、中央にネジ穴を有して構成される。部材固定ネジ５５５が、第１ケース結合部材５４１の挿通穴部５４２と、中継基板５０１の第１固定穴部５０２とに挿通されて第１ボス部５２６に結合されることで、第１ケース結合部材５４１の挿通穴部５４２および中継基板５０１の第１固定穴部５０２が第１ボス部５２６に対して固定される。中継基板ケース本体５２１の底部の右上部に、中継基板５０１の右上部を支持する第３ボス部５２８が形成される。第３ボス部５２８は、中央に半球状の突起部を有して構成される。第３ボス部５２８の突起部が中継基板５０１の第３固定穴部５０６と係合することで、中継基板５０１の第３固定穴部５０６が第３ボス部５２８に対して（上下左右方向において）固定される。
【０１２３】
詳細な図示を省略するが、中継基板ケース本体５２１の底部の左上部に、中継基板５０１の左上部を支持する第２ボス部（図示せず）が形成される。第２ボス部は、第１ボス部５２６と同様に構成される。部材固定ネジ（図示せず）が、第２ケース結合部材５５１の挿通穴部と、中継基板５０１の第２固定穴部５０４とに挿通されて第２ボス部に結合されることで、第２ケース結合部材５５１の挿通穴部および中継基板５０１の第２固定穴部５０４が第２ボス部に対して固定される。中継基板ケース本体５２１の底部の左下部に、中継基板５０１の左下部を支持する第４ボス部（図示せず）が形成される。第４ボス部は、第３ボス部５２８と同様に構成される。第４ボス部の突起部が中継基板５０１の第４固定穴部５０８と係合することで、中継基板５０１の第４固定穴部５０８が第４ボス部に対して（上下左右方向において）固定される。
【０１２４】
図３１および図３２に示すように、スタートスイッチカバー５６１は、透明の樹脂材料を用いて有底筒状に形成される。スタートスイッチカバー５６１は、スタートレバー（スタートスイッチ）２５の後側を覆って前扉２における操作パネル２１の後面側に取り付けられる。スタートスイッチカバー５６１の後部下側に、スタートレバー２５から延びるスタートスイッチケーブル（図示せず）が挿通される溝穴部５６２が下方に延びて形成される。溝穴部５６２の下端部に、中継基板ケース本体５２１のスイッチカバー係合部５２４と係合可能なカバー結合部５６３が形成される（図３４を参照）。なお、中継基板５０１におけるカバー結合部５６３の下方に、スタートスイッチ用コネクタ（図示せず）が配設され、スタートスイッチカバー５６１の内部側から溝穴部５６２に挿通されたスタートスイッチケーブルが、当該スタートスイッチ用コネクタと電気的に接続される。スタートスイッチカバー５６１の後端部中央に、カバー結合部材５６９をスタートスイッチカバー５６１に対して固定するための固定穴部５６４が形成される。スタートスイッチカバー５６１の後端部における固定穴部５６４の上下に、カバー結合部材５６９を仮固定するための係合穴部５６５が形成される。
【０１２５】
中継基板ケース蓋５３１は、透明の樹脂材料を用いて一方が開口した矩形蓋状に形成される。中継基板ケース蓋５３１の左右側部に、中継基板ケース本体５２１の係止穴部５２２に係止可能な係止爪部５３２が形成される。中継基板ケース蓋５３１の右側（図３２における左側）に、中継基板５０１の第１固定穴部５０２に固定された第１ケース結合部材５４１と係合可能な第１結合部材係合部５３３が形成される。中継基板ケース蓋５３１の左側に、中継基板５０１の第２固定穴部５０４に固定された第２ケース結合部材５５１と係合可能な第２結合部材係合部５３４が形成される。
【０１２６】
中継基板ケース蓋５３１の上部右側（図３２における上部左側）に、中継基板５０１の上部右側に配設された電気コネクタ（ストップスイッチ用コネクタ、ベットスイッチ用コネクタ、表示器用コネクタ等）を露出させる操作スイッチ用コネクタ露出部５３６が形成される。中継基板ケース蓋５３１の上部左側に、中継基板５０１に配設された前述のスタートスイッチ用コネクタ（図示せず）を露出させるスタートスイッチ用コネクタ露出部５３７が形成される。中継基板ケース蓋５３１の下部に、中継基板５０１の下部に配設されたメダルセレクタ用コネクタ（図示せず）を露出させるメダルセレクタ用コネクタ露出部５３８が形成される。
【０１２７】
図４０に示すように、第１結合部材係合部５３３は、天井部を有する筒状に形成されて第１ケース結合部材５４１と係合可能に構成される。第１結合部材係合部５３３の内周部に、第１ケース結合部材５４１の係合爪部５４７と係合可能な一対の係合溝部５３３ａが形成される。第１結合部材係合部５３３の天井部の中央部分は、他の部分よりも薄くなるように形成されており、ドライバー等の工具（図示せず）が第１結合部材係合部５３３の天井部を突き破って部材固定ネジ５５５に到達できるようになっている。
【０１２８】
第２結合部材係合部５３４は、第１結合部材係合部５３３と同様に形成されて第２ケース結合部材５５１と係合可能に構成される。そのため、第２結合部材係合部５３４の各部についての詳細な説明および図示を省略する。
【０１２９】
図３３および図３９に示すように、第１ケース結合部材５４１は、樹脂材料を用いてブロック状に形成される。第１ケース結合部材５４１の前側に、前後方向に延びて部材固定ネジ５５５が挿通される挿通穴部５４２が形成される。第１ケース結合部材５４１の前端部に、中継基板５０１の第１係合穴部５０３と係合可能な突起状の一対の仮固定部５４３が形成される。仮固定部５４３が中継基板５０１の第１係合穴部５０３と係合すると、第１ケース結合部材５４１の挿通穴部５４２と、中継基板５０１の第１固定穴部５０２とが位置整合した状態で、第１ケース結合部材５４１が中継基板５０１に対して固定されるようになっている。第１ケース結合部材５４１の後側に、挿通穴部５４２よりも大きな径を有して前後方向に延びる受容穴部５４６が形成される。受容穴部５４６は、前側が挿通穴部５４２に繋がるとともに後側が開口するように形成され、挿通穴部５４２に挿通された部材固定ネジ５５５の頭部が受容されるようになっている。第１ケース結合部材５４１の外周部に、中継基板ケース蓋５３１における第１結合部材係合部５３３の係合溝部５３３ａと係合可能な一対の係合爪部５４７が形成される。
【０１３０】
第２ケース結合部材５５１は、第１ケース結合部材５４１と同様に形成される。そのため、第２ケース結合部材５５１の各部についての詳細な説明および図示を省略する。
【０１３１】
図３１および図３２に示すように、中継基板ケース蓋５３１のスタートスイッチ用コネクタ露出部５３７と、スタートスイッチカバー５６１の溝穴部５６２とに跨って、スタートスイッチ用コネクタカバー５６６が取り付けられる。スタートスイッチ用コネクタカバー５６６は、透明の樹脂材料を用いて蓋状に形成される。スタートスイッチ用コネクタカバー５６６は、カバー結合部材５６９を用いて、中継基板５０１のスタートスイッチ用コネクタ（図示せず）と、スタートスイッチカバー５６１の溝穴部５６２に挿通されたスタートスイッチケーブル（図示せず）とを覆うように、スタートスイッチカバー５６１の後部に結合される。スタートスイッチ用コネクタカバー５６６の下端部に、中継基板ケース蓋５３１におけるスタートスイッチ用コネクタ露出部５３７の縁部内側に重なるオーバーラップ部５６７が形成される。スタートスイッチ用コネクタカバー５６６の上部に、スタートスイッチカバー５６１の固定穴部５６４に固定されたカバー結合部材５６９と係合可能なカバー結合部材係合部５６８が形成される。
【０１３２】
カバー結合部材係合部５６８は、中継基板ケース蓋５３１の第１結合部材係合部５３３と同様に形成されてカバー結合部材５６９と係合可能に構成される。そのため、カバー結合部材係合部５６８の各部についての詳細な説明および図示を省略する。カバー結合部材５６９は、第１ケース結合部材５４１と同様に形成される。そのため、カバー結合部材５６９の各部についての詳細な説明および図示を省略する。なお、部材固定ネジ（図示せず）が、カバー結合部材５６９の挿通穴部に挿通されてスタートスイッチカバー５６１の固定穴部５６４に結合されることで、カバー結合部材５６９の挿通穴部がスタートスイッチカバー５６１の固定穴部５６４に対して固定される。また、カバー結合部材５６９の仮固定部がスタートスイッチカバー５６１の係合穴部５６５と係合すると、カバー結合部材５６９の挿通穴部と、スタートスイッチカバー５６１の固定穴部５６４とが位置整合した状態で、カバー結合部材５６９がスタートスイッチカバー５６１に対して固定されるようになっている。
【０１３３】
中継基板ケース蓋５３１の操作スイッチ用コネクタ露出部５３６には、操作スイッチ用コネクタカバー５７１が取り付けられる。操作スイッチ用コネクタカバー５７１は、透明の樹脂材料を用いて蓋状に形成される。操作スイッチ用コネクタカバー５７１は、中継基板５０１の上部右側（図３２における上部左側）に配設された電気コネクタ（ストップスイッチ用コネクタ、ベットスイッチ用コネクタ、表示器用コネクタ等）を覆うように、中継基板ケース蓋５３１の上部右側に配設される。操作スイッチ用コネクタカバー５７１の右側部に、上方から中継基板ケース本体５２１のカバー受容部５２３に挿入可能なフランジ部５７２が形成される。操作スイッチ用コネクタカバー５７１の下端部に、中継基板ケース蓋５３１における操作スイッチ用コネクタ露出部５３６の縁部内側に重なるオーバーラップ部５７３が形成される。操作スイッチ用コネクタカバー５７１の上部後側に、ネジ等の固定部材（図示せず）が挿通される凹部５７４が形成される。
【０１３４】
操作スイッチ用コネクタカバー５７１は、中継基板ケース蓋５３１の操作スイッチ用コネクタ露出部５３６の上側近傍から、中継基板５０１の実装面に沿って下方に移動させることで、操作スイッチ用コネクタ露出部５３６に係合するように取り付けられる。また、操作スイッチ用コネクタカバー５７１は、ネジ等の固定部材（図示せず）を凹部５７４に挿通させて中継基板ケース本体５２１に結合させることにより、中継基板ケース本体５２１に対して固定される。
【０１３５】
中継基板ケース蓋５３１のメダルセレクタ用コネクタ露出部５３８には、メダルセレクタ用コネクタカバー５７６が取り付けられる。メダルセレクタ用コネクタカバー５７６は、透明の樹脂材料を用いて蓋状に形成される。メダルセレクタ用コネクタカバー５７６は、中継基板５０１のメダルセレクタ用コネクタ（図示せず）を覆うように、中継基板ケース蓋５３１の下部に枢結される。メダルセレクタ用コネクタカバー５７６は、上下方向に揺動可能に中継基板ケース蓋５３１の下部に枢結され、メダルセレクタ用コネクタ露出部５３８を開閉可能に構成される。メダルセレクタ用コネクタカバー５７６の中間部に、中継基板ケース蓋５３１に形成された係合爪５３９と係合可能な係合穴５７７が形成される。中継基板ケース蓋５３１の係合爪５３９は、メダルセレクタ用コネクタカバー５７６の係合穴５７７と係合した状態で、メダルセレクタ用コネクタカバー５７６を閉止保持する。
【０１３６】
以上のように構成される中継基板ケースユニット５００を組み立てて前扉２の後面側に取り付けるには、まず、図３４に示すように、ネジ等の固定手段（図示せず）を用いて、中継基板ケース本体５２１を前扉２における下パネル部材１４５の後面側に取り付け固定する。次に、中継基板ケース本体５２１の固定爪部５２５等を利用して、中継基板５０１を中継基板ケース本体５２１の底部に仮固定する。これにより、部材固定ネジ５５５を用
いなくても、中継基板５０１が中継基板ケース本体５２１に対して固定され、中継基板５０１の脱落等が防止される。次に、スタートスイッチカバー５６１を前扉２における操作パネル２１の後面側に取り付ける。このとき、スタートスイッチカバー５６１のカバー結合部５６３を中継基板ケース本体５２１のスイッチカバー係合部５２４と係合させる。
【０１３７】
次に、図３５に示すように、第１および第２ケース結合部材５４１，５５１を中継基板５０１とともに中継基板ケース本体５２１の底部に固定し、カバー結合部材５６９をスタートスイッチカバー５６１の後端部に固定する。第１ケース結合部材５４１を固定するには、第１ケース結合部材５４１の仮固定部５４３を中継基板５０１の第１係合穴部５０３と係合させる。そうすると、第１ケース結合部材５４１の挿通穴部５４２と、中継基板５０１の第１固定穴部５０２とが位置整合した状態で、第１ケース結合部材５４１が中継基板５０１および中継基板ケース本体５２１に対して固定される。これにより、部材固定ネジ５５５を用いなくても、第１ケース結合部材５４１が中継基板５０１および中継基板ケース本体５２１に対して固定され、第１ケース結合部材５４１の脱落等が防止される。そして、部材固定ネジ５５５を、第１ケース結合部材５４１の挿通穴部５４２と、中継基板５０１の第１固定穴部５０２とに挿通させて、中継基板ケース本体５２１の第１ボス部５２６に結合させる。これにより、図３９に示すように、第１ケース結合部材５４１が中継基板５０１（第１固定穴部５０２）とともに中継基板ケース本体５２１の第１ボス部５２６に対して固定される。
【０１３８】
第２ケース結合部材５５１を固定するには、第２ケース結合部材５５１の仮固定部を中継基板５０１の第２係合穴部５０５と係合させる。そうすると、第２ケース結合部材５５１の挿通穴部と、中継基板５０１の第２固定穴部５０４とが位置整合した状態で、第２ケース結合部材５５１が中継基板５０１および中継基板ケース本体５２１に対して固定される。これにより、部材固定ネジを用いなくても、第２ケース結合部材５５１が中継基板５０１および中継基板ケース本体５２１に対して固定され、第２ケース結合部材５５１の脱落等が防止される。そして、部材固定ネジを、第２ケース結合部材５５１の挿通穴部と、中継基板５０１の第２固定穴部５０４とに挿通させて、中継基板ケース本体５２１の第２ボス部に結合させる。これにより、第２ケース結合部材５５１が中継基板５０１（第２固定穴部５０４）とともに中継基板ケース本体５２１の第２ボス部に対して固定される。
【０１３９】
カバー結合部材５６９を固定するには、カバー結合部材５６９の仮固定部をスタートスイッチカバー５６１の係合穴部５６５と係合させる。そうすると、カバー結合部材５６９の挿通穴部と、スタートスイッチカバー５６１の固定穴部５６４とが位置整合した状態で、カバー結合部材５６９がスタートスイッチカバー５６１に対して固定される。これにより、部材固定ネジを用いなくても、カバー結合部材５６９がスタートスイッチカバー５６１に対して固定され、カバー結合部材５６９の脱落等が防止される。そして、部材固定ネジを、カバー結合部材５６９の挿通穴部に挿通させて、スタートスイッチカバー５６１の固定穴部５６４に結合させる。これにより、カバー結合部材５６９がスタートスイッチカバー５６１に対して固定される。
【０１４０】
次に、図３６に示すように、スタートスイッチカバー５６１に対して固定されたカバー結合部材５６９と、スタートスイッチ用コネクタカバー５６６のカバー結合部材係合部５６８とを係合させて、スタートスイッチ用コネクタカバー５６６をスタートスイッチカバー５６１の後部に結合させる。このとき、カバー結合部材５６９がカバー結合部材係合部５６８の内部に挿入されて、カバー結合部材５６９の係合爪部がカバー結合部材係合部５６８の係合溝部と係合する。これにより、カバー結合部材５６９は、後方からカバー結合部材係合部５６８に覆われて受容穴部の開口部分が閉じられた状態で、スタートスイッチカバー５６１とスタートスイッチ用コネクタカバー５６６とを結合させる。そのため、スタートスイッチ用コネクタカバー５６６（カバー結合部材係合部５６８）を破壊しない限
り、カバー結合部材５６９や、カバー結合部材５６９の受容穴部に受容された部材固定ネジの頭部にアクセスすることが困難となり、スタートスイッチ用コネクタカバー５６６の不正な開放を防止することができる。
【０１４１】
次に、図３７に示すように、中継基板５０１とともに中継基板ケース本体５２１に対して固定された第１および第２ケース結合部材５４１，５５１と、中継基板ケース蓋５３１の第１および第２結合部材係合部５３３，５３４とを係合させて、中継基板ケース蓋５３１を中継基板ケース本体５２１の後側に結合させる。なお、中継基板ケース蓋５３１を中継基板ケース本体５２１の後側に結合させる際、中継基板ケース蓋５３１の係止爪部５３２を中継基板ケース本体５２１の係止穴部５２２に係止させる。
【０１４２】
このとき、第１ケース結合部材５４１が第１結合部材係合部５３３の内部に挿入されて、第１ケース結合部材５４１の係合爪部５４７が第１結合部材係合部５３３の係合溝部５３３ａと係合する。これにより、第１ケース結合部材５４１は、後方から第１結合部材係合部５３３に覆われて受容穴部５４６の開口部分が閉じられた状態で、中継基板ケース本体５２１と中継基板ケース蓋５３１とを結合させる（図４０を参照）。そのため、中継基板ケース蓋５３１（第１結合部材係合部５３３）を破壊しない限り、第１ケース結合部材５４１や、第１ケース結合部材５４１の受容穴部５４６に受容された部材固定ネジ５５５の頭部にアクセスすることが困難となり、中継基板ケース蓋５３１の不正な開放を防止することができる。
【０１４３】
またこのとき、第２ケース結合部材５５１が第２結合部材係合部５３４の内部に挿入されて、第２ケース結合部材５５１の係合爪部が第２結合部材係合部５３４の係合溝部と係合する。これにより、第２ケース結合部材５５１は、後方から第２結合部材係合部５３４に覆われて受容穴部の開口部分が閉じられた状態で、中継基板ケース本体５２１と中継基板ケース蓋５３１とを結合させる。そのため、中継基板ケース蓋５３１（第２結合部材係合部５３４）を破壊しない限り、第２ケース結合部材５５１や、第２ケース結合部材５５１の受容穴部に受容された部材固定ネジの頭部にアクセスすることが困難となり、中継基板ケース蓋５３１の不正な開放を防止することができる。
【０１４４】
そして、図３８に示すように、操作スイッチ用コネクタカバー５７１を、中継基板ケース蓋５３１の操作スイッチ用コネクタ露出部５３６の上側近傍から、中継基板５０１の実装面に沿って下方に移動させて、操作スイッチ用コネクタ露出部５３６に取り付ける。このとき、ネジ等の固定部材（図示せず）を操作スイッチ用コネクタカバー５７１の凹部５７４に挿通させて中継基板ケース本体５２１に結合させることにより、操作スイッチ用コネクタカバー５７１を中継基板ケース本体５２１に対して固定する。また、メダルセレクタ用コネクタカバー５７６を中継基板ケース蓋５３１のメダルセレクタ用コネクタ露出部５３８に取り付ける。このようにして、中継基板ケースユニット５００が組み立てられて前扉２の後面側に取り付けられる。
【０１４５】
なお、ドライバー等の工具（図示せず）により、中継基板ケース蓋５３１の第１結合部材係合部５３３の天井部を突き破って、第１ケース結合部材５４１の受容穴部５４６に受容された部材固定ネジ５５５の頭部にアクセスすることで、部材固定ネジ５５５を第１ケース結合部材５４１等から取り外すことができる。また、ドライバー等の工具により、中継基板ケース蓋５３１の第２結合部材係合部５３４の天井部を突き破って、第２ケース結合部材５５１の受容穴部に受容された部材固定ネジの頭部にアクセスすることで、部材固定ネジを第２ケース結合部材５５１等から取り外すことができる。これにより、第１および第２ケース結合部材５４１，５５１が中継基板ケース本体５２１に対して固定されない状態となるので、中継基板ケース蓋５３１の係止爪部５３２と中継基板ケース本体５２１の係止穴部５２２との係止状態を解除した上で、中継基板ケース蓋５３１を（第１および
第２ケース結合部材５４１，５５１とともに）中継基板ケース本体５２１から取り外すことができる。
【０１４６】
また、ドライバー等の工具により、スタートスイッチ用コネクタカバー５６６のカバー結合部材係合部５６８の天井部を突き破って、カバー結合部材５６９の受容穴部に受容された部材固定ネジの頭部にアクセスすることで、部材固定ネジをカバー結合部材５６９等から取り外すことができる。これにより、カバー結合部材５６９がスタートスイッチカバー５６１に対して固定されない状態となるので、中継基板ケース蓋５３１を中継基板ケース本体５２１から取り外した上で、スタートスイッチ用コネクタカバー５６６を（カバー結合部材５６９とともに）スタートスイッチカバー５６１から取り外すことができる。
【０１４７】
＜メダル投入ユニットの構成＞
次に、本実施形態に係るメダル投入ユニット６００の構成について図４１〜図４４を参照して説明する。メダル投入ユニット６００は、図４１〜図４３に示すように、ブラケット部材６１０と、上部保護部材６２０と、前述のメダル投入部材６３０と、前述のメダルセレクタ６５０とから構成される。
【０１４８】
ブラケット部材６１０は、図４３に示すように、金属板材を用いて、上部および左右側部が後方に折り曲げられた板状に形成される。ブラケット部材６１０の上部に、メダル投入部材固定穴６１１が形成される。メダル投入部材固定ネジ６１２を下方からメダル投入部材固定穴６１１に挿通させて、メダル投入部材６３０の固定ボス部６３５に結合させることにより、ブラケット部材６１０の上部に上部保護部材６２０およびメダル投入部材６３０が固定される。ブラケット部材６１０の右側部（図４３における左側部）の上下２箇所に、メダルセレクタ固定穴６１６が形成される。メダルセレクタ固定穴６１６には、メダルセレクタ６５０の固定ボス部６６１が係合するようになっている。ブラケット部材６１０の右側部の中間部に、ユニット固定ネジ（図示せず）によりメダル投入ユニット６００（ブラケット部材６１０）を前扉２の後面側に固定するためのユニット固定片部６１８が形成される。
【０１４９】
上部保護部材６２０は、図４１〜図４３に示すように、樹脂材料を用いて板状に形成され、ブラケット部材６１０の上部とメダル投入部材６３０との間に挟まれて取り付けられるようになっている。上部保護部材６２０の前上部に、メダル投入部材受容部６２１が形成される。メダル投入部材受容部６２１は、メダル投入部材６３０におけるメダル投入部６３２の下端部の外周形状に合わせて枠状に形成される。上部保護部材６２０の前上部におけるメダル投入部材受容部６２１の後側に隣接して、メダル投入部材６３０のメダル投入部６３２が取り付けられ、メダル投入部６３２の下端部が前方からメダル投入部材受容部６２１に覆われるようになっている。これにより、メダル投入ユニット６００に対する不正行為を防止することができる。なお、上部保護部材６２０の前上部におけるメダル投入部材受容部６２１の後側に、メダル投入部材６３０の固定ボス部６３５が挿通される挿通孔（図示せず）が形成される。上部保護部材６２０の後部に、ダクト挿通部６２３が形成される。ダクト挿通部６２３は、メダル投入部材６３０の通路ダクト部６３７の外周形状に合わせて後方に切り欠かれるように形成される。ダクト挿通部６２３には、メダル投入部材６３０の通路ダクト部６３７が挿通されるようになっている。
【０１５０】
メダル投入部材６３０は、樹脂材料を用いて形成され、遊技メダルを投入可能なメダル投入口６３１が設けられるメダル投入部６３２と、メダル投入口６３１に投入された遊技メダルが通過可能な投入側メダル通路６３６（図４４を参照）が設けられる通路ダクト部６３７とを有している。メダル投入部６３２は、後側に壁部を有する円板状に形成される。メダル投入部６３２には、後側の壁部に沿って上方を向いて開口したメダル投入口６３１が形成される。メダル投入部６３２の上面に、投入ガイド部６３３が形成される。投入
ガイド部６３３は、遊技メダルの外周形状に合わせて下方に湾曲した曲面状に形成される。メダル投入部６３２の上面に達した遊技メダルは、投入ガイド部６３３に沿って後方へ移動するとメダル投入口６３１まで案内されるようになっている。投入ガイド部６３３の右縁部に、補助ガイド部６３４が形成される。補助ガイド部６３４は、投入ガイド部６３３の左縁部よりも高さが低くて幅が広くなるように形成される。これにより、利き手が右利きの遊技者は、メダル投入部６３２の右方からメダル投入口６３１に向けて遊技メダルを投入し易くなる。通路ダクト部６３７は、メダル投入部６３２の下部後側から下方に延びて形成される。通路ダクト部６３７の内部には、メダル投入口６３１から真下に延びる投入側メダル通路６３６が形成される。
【０１５１】
メダルセレクタ６５０は、前述したように、投入された遊技メダルが有効に受け入れられる期間においては、メダル投入口６３１に投入された遊技メダルを受入通路に導き、それ以外の期間においては、メダル投入口６３１に投入された遊技メダルを返却通路に導くように、受入通路と返却通路を選択的に、一方を開状態に他方を閉状態にできるように構成されている。図４４に示すように、メダルセレクタ６５０の内部には、前述した受入通路および受入通路の他、上流端部が上方を向いて開口したセレクタ側メダル通路６５１が形成される。セレクタ側メダル通路６５１の上流端部は、メダルセレクタ６５０の上部においてメダル投入部材６３０の投入側メダル通路６３６の下流端部と対向して配置され、メダル投入部材６３０の投入側メダル通路６３６を通過した遊技メダルがメダルセレクタ６５０のセレクタ側メダル通路６５１を通過するようになっている。セレクタ側メダル通路６５１は、前述した受入通路と返却通路との分岐部まで延びて形成される。
【０１５２】
図４２および図４３に示すように、メダルセレクタ６５０の右側部（図４３における左側部）の上下２箇所に、固定ボス部６６１が形成される。メダルセレクタ６５０の固定ボス部６６１をブラケット部材６１０のメダルセレクタ固定穴６１６に係合させた状態で、メダルセレクタ固定ネジ６６２を用いてメダルセレクタ６５０の左側部をメダルセレクタ６５０の左側部に結合させることで、メダルセレクタ６５０がブラケット部材６１０の後面側に固定される。これにより、メダル投入部材６３０（および上部保護部材６２０）とメダルセレクタ６５０とが、ブラケット部材６１０に固定保持される。メダルセレクタ６５０の下部左側に、ネジ等の固定手段（図示せず）を用いてメダルガイド部材６８０が結合される。
【０１５３】
以上のように構成されるメダル投入ユニット６００は、操作パネル２１に取り付けられる。このとき、操作パネル２１の上面部が、メダル投入部材６３０の外縁部と上部保護部材６２０との間に設けられた溝部に挿通されることで、メダル投入部材６３０が操作パネル２１の上面側に露出して配置され、メダルセレクタ６５０が操作パネル２１の後面側に隠れて配置される。本実施形態では、メダル投入部材６３０（および上部保護部材６２０）とメダルセレクタ６５０とが、ブラケット部材６１０に固定保持される。これにより、前扉２において第１フレーム１０１に対して第２フレーム１５１が着脱可能に構成される場合であっても、高い位置精度が要求される、メダル投入部材６３０の投入側メダル通路６３６と、メダルセレクタ６５０のセレクタ側メダル通路６５１との位置関係を一定に保つことができる。従来、メダル投入部材およびメダルセレクタは、前扉に対して別々に取り付けられ、ブラケット部材等により一体的に保持されていなかった。そのため、メダル投入部材およびメダルセレクタのそれぞれの取り付け誤差等により、メダル投入部材の投入側メダル通路と、メダルセレクタのセレクタ側メダル通路との間に位置ズレが生じると、この部分で遊技メダルが詰まる可能性があった。
【０１５４】
なお、メダルセレクタ６５０とともに操作パネル２１の後面側に配置されたブラケット部材６１０の一部は、シリンダー錠２８を有する施錠装置（図示せず）の金属板に当接するようになっている。これにより、ブラケット部材６１０および施錠装置（図示せず）の
金属板を介して、遊技メダルがメダルセレクタ６５０を通過する際に生じる静電気を外部に逃がすことができる。
【０１５５】
＜本実施形態における特徴構成＞
＜演出装置の特徴構成＞
本実施形態において、演出装置３００の第１支持部材３３１が第１合体位置に揺動し、第２支持部材３７１が第２合体位置に揺動して、第１回転部材３２１と第２回転部材３６１とが合体すると、第１可動ユニット３２０の回転部材駆動部３４６により、第１回転部材３２１と第２回転部材３６１とが一体的に回転可能となるように構成される。これにより、回転部材駆動部３４６を１つだけ設ければよいため、第２の回転部材駆動部を省いた分だけ演出装置３００の取り付けスペースを確保することが容易になり、演出装置３００を大型化することが可能になる。
【０１５６】
また、第１回転部材３２１が第１基準回転位置で保持されるとともに、第２回転部材３６１が第２基準回転位置で保持される状態で、第１支持部材３３１が第１合体位置に揺動し、第２支持部材３７１が第２合体位置に揺動すると、第１回転部材３２１と第２回転部材３６１とが合体する。そして、第１可動ユニット３２０の回転部材駆動部３４６により、第１回転側付勢磁石３２４および第１支持側付勢磁石３４０の付勢力と、第２回転側付勢磁石３６４および第２支持側付勢磁石３８０の付勢力に抗して、第１回転部材３２１と第２回転部材３６１とが一体的に回転可能となるように構成される。これにより、分離した状態における第１回転部材３２１と第２回転部材３６１との相対位置関係が一定となるため、第１回転部材３２１と第２回転部材３６１とを確実に合体させることができる。
【０１５７】
＜前扉の特徴構成＞
本実施形態において、前扉２の第２フレーム１５１が第１フレーム１０１に対して着脱可能に構成される。これにより、第１フレーム１０１の構成は同じのままで、第２フレーム１５１の外観部のデザインのみを変更することが可能になり、スロットマシン１の外観部のデザインを容易に変更することができる。また、第１フレーム１０１から第２フレーム１５１が取り外されて、第１フレーム１０１のみが筐体５に取り付けられた状態でも、第１フレーム１０１に設けられたスタートレバー２５や各ストップスイッチ２０１ａ〜２０１ｃ等を操作することにより、完成品の場合と同様の遊技を行うことができる。そのため、第２フレーム１５１が未装着の状態でスロットマシンの動作確認（デバッグ等）を行うことが可能になり、スロットマシンの製造効率を向上させることができる。
【０１５８】
また、第２フレーム１５１は、第２フレーム１５１が第１フレーム１０１の前側を覆う状態で、第１フレーム１０１に設けられた画像表示装置２５１の表示画面２５２を視認可能にする上側視認部１６２を有して構成される。これにより、第１フレーム１０１から第２フレーム１５１が取り外されて、第１フレーム１０１のみが筐体５に取り付けられた状態でも、第１フレーム１０１に設けられた画像表示装置２５１の表示画面２５２に、完成品の場合と同様の画像を表示することができる。そのため、第２フレーム１５１が未装着の状態でスロットマシンの動作確認（デバッグ等）を行うことが可能になり、スロットマシンの製造効率を向上させることができる。
【０１５９】
＜画像表示ユニットの特徴構成＞
本実施形態において、画像表示ユニット２５０の表示装置保持部２６１は、前扉２における第２フレーム１５１の上側視認部１６２（および、第１フレーム１０１の上部の開口部分）の後側で、表示画面２５２が前方を向くように画像表示装置２５１を保持する保持位置と、当該保持位置から後方に揺動した揺動位置とに揺動可能に構成される。これにより、通常の組み立て状態では、画像表示装置２５１と上側視認部１６２（画面保護カバー１６３）との間の部分にアクセスすることが難しくても、表示装置保持部２６１を一時的
に保持位置から後方に揺動させることにより、画像表示装置２５１と上側視認部１６２との間の部分にアクセスすることができる。そのため、表示装置保持部２６１を一時的に保持位置から後方に揺動させることにより、例えば、画像表示装置２５１の表示画面２５２の洗浄を行うことができる。このように、画像表示装置２５１を保持する表示装置保持部２６１が、保持位置と揺動位置とに揺動可能に構成されることで、スロットマシン１のメンテナンス性を向上させることが可能になる。
【０１６０】
また、前扉２の第２フレーム１５１が第１フレーム１０１に対して着脱可能に構成されており、表示装置保持部２６１は、第１フレーム１０１の後側に取り付けられる。これにより、第１フレーム１０１から第２フレーム１５１が取り外されて、第１フレーム１０１のみが筐体５に取り付けられた状態でも、第１フレーム１０１の方に配設された画像表示装置２５１の表示画面２５２に、完成品の場合と同様の画像を表示することができる。そのため、第２フレーム１５１が未装着の状態でスロットマシンの動作確認（デバッグ等）を行うことが可能になり、スロットマシンの製造効率を向上させることができる。
【０１６１】
＜中継基板ケースユニットの特徴構成＞
本実施形態において、中継基板ケース本体５２１と中継基板ケース蓋５３１とを結合させる第１および第２ケース結合部材５４１，５５１は、部材固定ネジ５５５が挿通されて中継基板ケース本体５２１の底部（後面側）に固定される挿通穴部５４２と、挿通穴部５４２に挿通された部材固定ネジ５５５の頭部を受容可能な受容穴部５４６とを有し、中継基板ケース蓋５３１は、第１および第２ケース結合部材５４１，５５１と係合して受容穴部５４６の開口部分を閉じる第１および第２結合部材係合部５３３，５３４を有して構成される。これにより、中継基板ケース蓋５３１（第１および第２結合部材係合部５３３，５３４）を破壊しない限り、第１および第２ケース結合部材５４１，５５１や、第１および第２ケース結合部材５４１，５５１の受容穴部５４６に受容された部材固定ネジ５５５の頭部にアクセスすることが困難となり、中継基板ケース蓋５３１の不正な開放を防止することができる。
【０１６２】
同様に、スタートスイッチカバー５６１とスタートスイッチ用コネクタカバー５６６とを結合させるカバー結合部材５６９は、部材固定ネジが挿通されてスタートスイッチカバー５６１の後端部に固定される挿通穴部と、挿通穴部に挿通された部材固定ネジの頭部を受容可能な受容穴部とを有し、スタートスイッチ用コネクタカバー５６６は、カバー結合部材５６９と係合して受容穴部の開口部分を閉じるカバー結合部材係合部５６８を有して構成される。これにより、スタートスイッチ用コネクタカバー５６６（カバー結合部材係合部５６８）を破壊しない限り、カバー結合部材５６９や、カバー結合部材５６９の受容穴部に受容された部材固定ネジの頭部にアクセスすることが困難となり、スタートスイッチ用コネクタカバー５６６の不正な開放を防止することができる。
【０１６３】
また、第１および第２ケース結合部材５４１，５５１は、部材固定ネジ５５５を用いなくても中継基板ケース本体５２１に対して第１および第２ケース結合部材５４１，５５１を固定することが可能な仮固定部５４３を有して構成される。これにより、部材固定ネジ５５５により第１および第２ケース結合部材５４１，５５１を固定するまでの間における第１および第２ケース結合部材５４１，５５１の脱落等を防止することができるため、中継基板ケース本体５２１と中継基板ケース蓋５３１の組み立て作業を容易にすることができる。
【０１６４】
同様に、カバー結合部材５６９は、部材固定ネジを用いなくてもスタートスイッチカバー５６１に対してカバー結合部材５６９を固定することが可能な仮固定部を有して構成される。これにより、部材固定ネジによりカバー結合部材５６９を固定するまでの間におけるカバー結合部材５６９の脱落等を防止することができるため、スタートスイッチカバー
５６１とスタートスイッチ用コネクタカバー５６６の組み立て作業を容易にすることができる。
【０１６５】
また、第１および第２ケース結合部材５４１，５５１は、部材固定ネジ５５５により、中継基板５０１とともに中継基板ケース本体５２１の底部（後面側）に固定されるように構成される。これにより、部材固定ネジ５５５を兼用することで、中継基板ケース５１１の部品点数を減らして製造コストを低減させることができる。また、第１および第２ケース結合部材５４１，５５１の専用の設置スペースを省くことができるため、中継基板ケース５１１の大型化を防止することができる。
【０１６６】
＜変形例＞
上述の実施形態において、画像表示ユニット２５０は、前扉２の第１フレーム１０１を構成する第１上側フレーム部１１１の上部（後側）に取り付けられているが、これに限られるものではない。例えば、画像表示ユニットは、第１上側フレーム部１１１の下側（後側）に配設されてもよい。そこで、画像表示ユニットの変形例について、図４５〜図４６を参照して説明する。変形例に係る画像表示ユニット７５０は、図４５に示すように、所定の画像を表示画面７５２に表示可能な画像表示装置７５１と、画像表示装置７５１を保持する表示装置保持部７６１とから構成される。変形例に係る画像表示装置７５１は、上述の実施形態の画像表示ユニット２５０よりも大型であり、画像表示装置７５１の下側に透明のリール窓Ｗ２が形成されている。画像表示装置７５１の表示画面７５２は、画像表示装置７５１の前面におけるリール窓Ｗ２を除いた領域に形成される。
【０１６７】
第１上側フレーム部１１１の下側には、上述の実施形態よりも上下方向に長い中パネル部材７００が後方から取り付けられる。変形例に係る画像表示ユニット７５０は、この変形例に係る中パネル部材７００の後面側に重ねて結合される。変形例に係る中パネル部材７００は、画面保護カバー７２１と、カバー保持部７３１とから構成され、補強部材７１１を利用して第１上側フレーム部１１１の下側に取り付け固定される。
【０１６８】
補強部材７１１は、樹脂材料を用いて、左右方向に延びる梁状に形成される。補強部材７１１の左右端部に、板状のフレーム側結合部７１２が形成される。フレーム側結合部７１２は、第１上側フレーム部１１１の左右の上部前側に結合される。補強部材７１１の中間部に、フレーム側結合部７１２に対し後方にオフセットして左右方向に延びるカバー側結合部７１３が形成される。カバー側結合部７１３は、中パネル部材７００におけるカバー保持部７３１の上辺部に結合される。このような補強部材７１１により、比較的大型の画像表示ユニット７５０が第１上側フレーム部１１１の下側に配設される場合であっても、第１上側フレーム部１１１の強度を保つことができる。
【０１６９】
画面保護カバー７２１は、透明の樹脂材料を用いて、第１上側フレーム部１１１の開口部分の下側を後方から塞ぐ板状に形成される。画面保護カバー７２１は、画像表示ユニット７５０が中パネル部材７００の後面側に重ねて結合された状態で、画像表示装置７５１の表示画面７５２を視認可能に覆うようになっている。
【０１７０】
カバー保持部７３１は、樹脂材料を用いて枠状に形成され、画面保護カバー７２１の外周部を保持する。カバー保持部７３１の上辺部は、ネジ等の結合手段（図示せず）を用いて補強部材７１１のカバー側結合部７１３に結合される。カバー保持部７３１の左辺部は、ネジ等の結合手段（図示せず）を用いて第１上側フレーム部１１１の左下側に結合される。カバー保持部７３１の右辺部は、ネジ等の結合手段（図示せず）を用いて第１上側フレーム部１１１の右下側に結合される。
【０１７１】
カバー保持部７３１の上辺部に、左側揺動支持部７３５および右側揺動支持部７４５が
後方に突出して形成される。左側揺動支持部７３５および右側揺動支持部７４５は、前扉における第２フレームの視認露出部（図示せず）の後側で、表示画面７５２が前方を向くように画像表示装置７５１を保持する保持位置と、当該保持位置から後方に揺動した揺動位置との間で、画像表示ユニット７５０の表示装置保持部７６１を揺動自在に支持する。
【０１７２】
なお、詳細な図示を省略するが、変形例における第２フレームの視認露出部は、中パネル部材７００および画像表示ユニット７５０の形状に合わせて、上述の実施形態よりも上下方向に長くなるように形成される。変形例における第２フレームも第１フレーム１０１に対して着脱可能に構成される。これにより、第１フレーム１０１の構成は略同じのままで、第２フレームの外観部のデザインのみを変更することが可能であるため、画像表示ユニット７５０の形状に合わせて、スロットマシンの外観部のデザインを容易に変更することができる。また、画像表示ユニットの形状に合わせて補強部材等を変更することで、第１フレーム１０１においても、第１上側フレーム部１１１に設けられる画像表示ユニットの設計変更を容易に行うことが可能になる。
【０１７３】
左側揺動支持部７３５の先端部に、右方に開口した軸受状の軸受部７３６が形成される。左側揺動支持部７３５の軸受部７３６は、表示装置保持部７６１の揺動軸部７６６と回転自在に係合し、表示装置保持部７６１を揺動自在に支持する。左側揺動支持部７３５の側部に、左側ロック部材７０５が係合可能なロック穴部７３７が形成される。右側揺動支持部７４５の先端部に、右方に延びる軸状のガイド受部７４６が形成される。ガイド受部７４６は、表示装置保持部７６１の揺動ガイド部７７６と回転自在に係合し、表示装置保持部７６１を揺動自在に支持する。右側揺動支持部７４５の右端部に、右側ロック部材７０６が係合可能なロック穴部７４７が形成される。
【０１７４】
カバー保持部７３１の下辺部に、左側ロック受け部７３２および右側ロック受け部７３３が形成される。左側ロック受け部７３２および右側ロック受け部７３３は、表示装置保持部７６１の左側ロック機構部７６２および右側ロック機構部７６３と係合可能に構成される（図４６も参照）。
【０１７５】
表示装置保持部７６１は、樹脂材料を用いて枠状に形成され、画像表示装置７５１の外周部を保持する。表示装置保持部７６１の上辺部に、左側揺動アーム部７６５および右側揺動アーム部７７５が上方に突出して形成される。なお、表示装置保持部７６１の後側に、副制御装置８０が取り付けられる。
【０１７６】
左側揺動アーム部７６５の先端部に、左方に延びる軸状の揺動軸部７６６が形成される。左側揺動アーム部７６５の揺動軸部７６６は、カバー保持部７３１における左側揺動支持部７３５の軸受部７３６と回転自在に係合する。揺動軸部７６６の左端部に、左側ロック部材７０５が係合可能なロック穴部（図示せず）が形成される。左側ロック部材７０５が左方から、左側揺動支持部７３５のロック穴部７３７と、左側揺動アーム部７６５のロック穴部とに係合した状態で、表示装置保持部７６１の上辺部左側が固定保持される。
【０１７７】
右側揺動アーム部７７５の先端部に、鉤状の揺動ガイド部７７６が形成される。右側揺動アーム部７７５の揺動ガイド部７７６は、カバー保持部７３１における右側揺動支持部７４５のガイド受部７４６と回転自在に係合する。右側揺動アーム部７７５の右側部に、右側ロック部材７０６が係合可能なロック穴部（図示せず）が形成される。右側ロック部材７０６が右方から、右側揺動アーム部７７５のロック穴部と、右側揺動支持部７４５のロック穴部７４７とに係合した状態で、表示装置保持部７６１の上辺部右側が固定保持される。
【０１７８】
表示装置保持部７６１の下辺部に、左側ロック機構部７６２および右側ロック機構部７
６３が設けられる。左側ロック機構部７６２がカバー保持部７３１の左側ロック受け部７３２と係合した状態で、表示装置保持部７６１の下辺部左側が固定保持される。右側ロック機構部７６３がカバー保持部７３１の右側ロック受け部７３３と係合した状態で、表示装置保持部７６１の下辺部右側が固定保持される。
【０１７９】
以上のように構成される画像表示ユニット７５０を、中パネル部材７００の後側に重ねて結合させるには、まず、表示装置保持部７６１（左側揺動アーム部７６５）の揺動軸部７６６とカバー保持部７３１（左側揺動支持部７３５）の軸受部７３６とを係合させるとともに、表示装置保持部７６１（右側揺動アーム部７７５）の揺動ガイド部７７６とカバー保持部７３１（右側揺動支持部７４５）のガイド受部７４６とを係合させる。そして、画像表示ユニット７５０を中パネル部材７００の後側に重ねた状態で、左側ロック部材７０５を左方から、左側揺動支持部７３５のロック穴部７３７と、左側揺動アーム部７６５のロック穴部とに係合させてロックする。また、右側ロック部材７０６を右方から、右側揺動アーム部７７５のロック穴部と、右側揺動支持部７４５のロック穴部７４７とに係合させてロックする。また、表示装置保持部７６１の左側ロック機構部７６２および右側ロック機構部７６３を、カバー保持部７３１の左側ロック受け部７３２および右側ロック受け部７３３と係合させる。
【０１８０】
これにより、画像表示ユニット７５０が中パネル部材７００の後側に重ねて結合される。変形例においては、左右のロック部材７０５，７０６および左右のロック機構部７６２，７６３による係合を解除した状態で、表示装置保持部７６１を、画像表示ユニット７５０が中パネル部材７００の後側に重ねて結合される結合位置から少しだけ右方に移動させる。そうすると、表示装置保持部７６１の左右の揺動アーム部７６５，７７５は、カバー保持部７３１の左右の揺動支持部７３５，７４５に対して係合したまま右方にスライド移動する。これにより、表示装置保持部７６１は、中パネル部材７００の後側で画像表示装置７５１を保持しつつ、中パネル部材７００に対して後方に揺動することが可能な保持位置に変位するようになっている。
【０１８１】
このようにして、表示装置保持部７６１を一時的に結合位置から保持位置に変位させることで、中パネル部材７００に対して後方に揺動させることができる。これにより、通常の組み立て状態では、画像表示装置７５１と画面保護カバー７２１との間の部分にアクセスすることが難しくても、表示装置保持部７６１を一時的に結合位置から保持位置に変位させて後方に揺動させることにより、画像表示装置７５１と画面保護カバー７２１との間の部分にアクセスすることができる。そのため、表示装置保持部７６１を一時的に結合位置から保持位置に変位させて後方に揺動させることにより、例えば、画像表示装置７５１の表示画面７５２の洗浄を行うことができる。このように、画像表示装置７５１を保持する表示装置保持部７６１が、保持位置と揺動位置とに揺動可能に構成されることで、スロットマシンのメンテナンス性を向上させることが可能になる。
【０１８２】
上述の実施形態において、演出装置３００は、第１回転部材３２１を回転可能に支持する第１支持部材３３１が第１分離位置と第１合体位置とに揺動可能となり、第２回転部材３６１を回転可能に支持する第２支持部材３７１が第２分離位置と第２合体位置とに揺動可能となるように構成されているが、これに限られるものではない。例えば、第１支持部材が第１分離位置と第１合体位置とに上下方向（もしくは左右方向）に平行移動可能となり、第２支持部材が第２分離位置と第２合体位置とに上下方向（もしくは左右方向）に平行移動可能となるように構成されてもよい。また、第１支持部材および第２支持部材のうち一方が固定されるように構成されてもよく、第１回転部材と第２回転部材とが分離する分離位置と、第１回転部材と第２回転部材とが合体する合体位置とに、第１支持部材と第２支持部材とが相対移動可能に構成されていればよい。
【０１８３】
上述の実施形態において、前扉２の後面側に設けられた中継基板ケースユニット５００に、中継基板５０１が収容される中継基板ケース本体５２１と中継基板ケース蓋５３１とを結合させる第１および第２ケース結合部材５４１，５５１が設けられているが、これに限られるものではない。例えば、筐体５内の上部に設けられた主制御装置７０に、主制御基板が収容される主基板ケース本体と主基板ケース蓋とを結合させるケース結合部材が設けられてもよい。また例えば、前扉２の後面側に設けられた副制御装置８０に、副制御基板が収容される副基板ケース本体と副基板ケース蓋とを結合させるケース結合部材が設けられてもよい。
【０１８４】
上述の実施形態において、中継基板ケース本体５２１と中継基板ケース蓋５３１とを結合させる２つのケース結合部材５４１，５５１が設けられているが、これに限られるものではなく、例えば、３つのケース結合部材が設けられてもよく、１つだけケース結合部材が設けられるようにしてもよい。
【０１８５】
上述の実施形態において、第１ケース結合部材５４１、第２ケース結合部材５５１、およびカバー結合部材５６９は、部材固定ネジ５５５（丸皿小ねじ、なべ小ねじ等）を用いて固定されているが、これに限られるものではなく、六角穴付ボタンボルト等を用いて固定されてもよい。
【０１８６】
上述の実施形態において、左右の上部スピーカー１５ａ，１５ｂは、前扉２における第２フレーム１５１に取り付けられているが、これに限られるものではなく、第１フレーム１０１に取り付けられてもよい。また、左右の下部スピーカー３２ａ，３２ｂは、第１フレーム１０１に取り付けられているが、これに限られるものではなく、第２フレーム１５１に取り付けられてもよい。
【０１８７】
上述の実施形態において、受け皿アッセンブリ４０は、第１フレーム１０１（第１下側フレーム部１１６）の下端部に設けられているが、これに限られるものではなく、第２フレーム１５１（第２下側フレーム部１７１）の下端部に設けられてもよい。
【０１８８】
上述の実施形態において、演出用中継基板３０５に設けられた演出用中継コネクタ３０６と、演出用中継コネクタ３０６と電気的に接続される（副制御装置８０から延びるケーブルの）コネクタとに、ドロワコネクタが用いられてもよい。
【０１８９】
上述の実施形態において、本実施形態の演出装置３００や中継基板ケース５１１等が適用される遊技機の一例として、遊技メダルを使用するスロットマシン（回胴式遊技機）１を例示して説明したが、これに限定されるものではなく、例えば、遊技球を使用する回胴式遊技機や、雀球遊技機、アレンジボール機、パチンコ機などについても同様に適用し、同様の効果を得ることができる。
【符号の説明】
【０１９０】
１  スロットマシン（遊技機）
２  前扉（開閉部材）
５  筐体（本体部材）
１２  第１演出ランプ（装飾部）
１３ａ，１３ｂ  第２演出ランプ（装飾部）
１６  装飾部材
２１  操作パネル
２３  ＢＥＴスイッチユニット（操作部）
２４  演出スイッチユニット（操作部）
２５  スタートレバー（操作部）
２７  リジェクトスイッチ（操作部）
１０１  第１フレーム
１５１  第２フレーム
１６１  第２上側フレーム部
１６２  上側視認部
１６３  画面保護カバー
１６６  視認露出部
１７１  第２下側フレーム部
１７２  上面側露出部
１７３  スタートスイッチ露出部
１７４  ストップスイッチ挿通部
１７５  カバー取付部
１７７  リジェクトスイッチ露出部
１７８  シリンダー錠露出部
１９０  ストップスイッチカバー
１９１ａ〜１９１ｃ  ストップスイッチ露出穴
２００  ストップスイッチユニット
２０１ａ〜２０１ｃ  ストップスイッチ（操作部）
２５０  画像表示ユニット
２５１  画像表示装置
２５２  表示画面
２６１  表示装置保持部
３００  演出装置
３１０  ベースユニット
３２０  第１可動ユニット
３２１  第１回転部材
３２２  第１当接部
３２３  第１合体補助磁石
３２４  第１回転側付勢磁石
３３１  第１支持部材
３３２  第１揺動アーム部
３３６  第１回転支持部
３４０  第１支持側付勢磁石
３４６  回転部材駆動部
３６０  第２可動ユニット
３６１  第２回転部材
３６２  第２当接部
３６３  第２合体補助磁石
３６４  第２回転側付勢磁石
３７１  第２支持部材
３７２  第２揺動アーム部
３７６  第２回転支持部
３８０  第２支持側付勢磁石
４２０  第１駆動ユニット（第１移動手段）
４６０  第２駆動ユニット（第２移動手段）
５００  中継基板ケースユニット
５０１  中継基板
５１１  中継基板ケース
５２１  中継基板ケース本体（ベース部）
５３１  中継基板ケース蓋（カバー部）
５３３  第１結合部材係合部（５３３ａ  係合溝部）
５３４  第２結合部材係合部
５４１  第１ケース結合部材
５４２  挿通穴部
５４３  仮固定部
５４６  受容穴部
５５１  第２ケース結合部材
５５５  部材固定ネジ（固定部材）
５６１  スタートスイッチカバー（ベース部）
５６６  スタートスイッチ用コネクタカバー（カバー部）
５６８  カバー結合部材係合部
５６９  カバー結合部材
７５０  画像表示ユニット（変形例）
７５１  画像表示装置
７５２  表示画面
７６１  表示装置保持部
【図１】
2018130306.tif 000003
【図２】
2018130306.tif 000004
【図３】
2018130306.tif 000005
【図４】
2018130306.tif 000006
【図５】
2018130306.tif 000007
【図６】
2018130306.tif 000008
【図７】
2018130306.tif 000009
【図８】
2018130306.tif 000010
【図９】
2018130306.tif 000011
【図１０】
2018130306.tif 000012
【図１１】
2018130306.tif 000013
【図１２】
2018130306.tif 000014
【図１３】
2018130306.tif 000015
【図１４】
2018130306.tif 000016
【図１５】
2018130306.tif 000017
【図１６】
2018130306.tif 000018
【図１７】
2018130306.tif 000019
【図１８】
2018130306.tif 000020
【図１９】
2018130306.tif 000021
【図２０】
2018130306.tif 000022
【図２１】
2018130306.tif 000023
【図２２】
2018130306.tif 000024
【図２３】
2018130306.tif 000025
【図２４】
2018130306.tif 000026
【図２５】
2018130306.tif 000027
【図２６】
2018130306.tif 000028
【図２７】
2018130306.tif 000029
【図２８】
2018130306.tif 000030
【図２９】
2018130306.tif 000031
【図３０】
2018130306.tif 000032
【図３１】
2018130306.tif 000033
【図３２】
2018130306.tif 000034
【図３３】
2018130306.tif 000035
【図３４】
2018130306.tif 000036
【図３５】
2018130306.tif 000037
【図３６】
2018130306.tif 000038
【図３７】
2018130306.tif 000039
【図３８】
2018130306.tif 000040
【図３９】
2018130306.tif 000041
【図４０】
2018130306.tif 000042
【図４１】
2018130306.tif 000043
【図４２】
2018130306.tif 000044
【図４３】
2018130306.tif 000045
【図４４】
2018130306.tif 000046
【図４５】
2018130306.tif 000047
【図４６】
2018130306.tif 000048